(57)【要約】権利表現に従ってアイテムの使用をコントロールするため、システムで使用されるアイテムに関連付ける権利表現を作成するシステム及び方法を提供する。アイテムの使用の態様を示す権利表現情報が特定される。次に、権利表現情報の変調された信号ベースの表示が生成される。変調された信号ベースの表示は、アイテムの使用をコントロールして権利表現の実施を許すためシステムのインタープリタによって解釈されるように構成される。
2005532610.tif 000002
【特許請求の範囲】
【請求項１】
権利表現に従ってアイテムの使用をコントロールするシステムで使用するアイテムに関連付けて権利表現を生成する方法であって、
アイテムの使用の態様を示す権利表現情報を特定し、
変調された信号ベースの前記権利表現情報の表示を生成する、
ことを含み、
前記変調された信号ベースの表示は、前記権利表現情報に基づいて前記権利表現の行使を許可するために、前記アイテムの使用をコントロールするシステムのインタプリタによって解釈されるように構成されている、
方法。
【請求項２】
前記変調された信号ベースの表示が、変調された光信号を含む、請求項１に記載の方法。
【請求項３】
前記変調された光信号が人間の可視スペクトル内である、請求項２に記載の方法。
【請求項４】
前記変調された光信号が人間の可視スペクトル外である、請求項２に記載の方法。
【請求項５】
デバイスに前記権利表現情報を行使させるために、前記変調された光信号を送信することをさらに含む、請求項２に記載の方法。
【請求項６】
照明器具を介して前記変調された光信号を送信することをさらに含む、請求項５に記載の方法。
【請求項７】
前記変調された信号ベースの表示が、変調された光パルスを含む、請求項２に記載の方法。
【請求項８】
前記権利表現情報の複数の解釈へ対応するために、前記変調された光パルスの特性を変化することをさらに含む、請求項７に記載の方法。
【請求項９】
コンピューティング・デバイスに前記権利表現情報を行使させるために、ディスプレイ・デバイスを介して、前記変調された光信号を該コンピューティング・デバイスへ送信することをさらに含む、請求項２に記載の方法。
【請求項１０】
前記変調された信号ベースの表示が、変調された音信号を含む、請求項１に記載の方法。
【請求項１１】
前記変調された音信号が、人間の可聴周波数範囲内の音周波数を含む、請求項１０に記載の方法。
【請求項１２】
前記変調された音信号が、人間の可聴周波数範囲外の音周波数を含む、請求項１０に記載の方法。
【請求項１３】
デバイスに前記権利表現情報を行使させるために、前記変調された音信号を送信することをさらに含む、請求項１０に記載の方法。
【請求項１４】
スピーカを介して前記変調された音信号を送信することをさらに含む、請求項１３に記載の方法。
【請求項１５】
前記変調された信号ベースの表示が、変調された音のトーンを含む、請求項１に記載の方法。
【請求項１６】
前記権利表現情報の複数の解釈に対応するために、前記変調された音のトーンの特性を変化することをさらに含む、請求項１５に記載の方法。
【請求項１７】
コンピューティング・デバイスに前記権利表現情報を行使させるために、電話装置を介して、前記変調された音信号を該コンピューティング・デバイスへ送信することをさらに含む、請求項１０に記載の方法。
【請求項１８】
前記権利表現情報が、デジタル・コンテンツ、サービス、抽象物、リソース、及び物品の少なくとも１つの使用の態様を行使するために満足させなければならない条件を含む、請求項１に記載の方法。
【請求項１９】
第２の変調された信号が所定の方式で存在する場合に解釈される、第１の変調された信号を含む前記権利表現情報の前記変調された信号ベースの表示を生成することをさらに含む、請求項１に記載の方法。
【請求項２０】
前記権利表現情報の前記変調された信号ベースの表示が、前記変調された信号ベースの表示の解釈の条件として、変更されていないことを判断することをさらに含む、請求項１に記載の方法。
【請求項２１】
前記権利表現情報に関連付けられた他の変調された信号ベースの表示及び前記権利表現情報に関連付けられた情報の１つに対するポインタとして、前記変調された信号ベースの表示を構成することをさらに含む、請求項１に記載の方法。
【請求項２２】
権利表現に従って、アイテムの使用のコントロールを促進するアイテムに関連付ける該権利表現を生成するシステムであって、
アイテムの使用の態様を示す権利表現情報を特定する手段と、
前記権利表現情報の変調された信号ベースの表示を生成する手段と、
を備え、
前記変調された信号ベースの表示が、前記権利表現情報に基づいて、前記権利表現の行使を許可するために、前記アイテムの使用をコントロールするシステムのインタプリタによって解釈されるように構成されている、
システム。
【請求項２３】
前記変調された信号ベースの表示が、変調された光信号を含む、請求項２２に記載のシステム。
【請求項２４】
前記変調された光信号が、人間の可視スペクトル内にある、請求項２３に記載のシステム。
【請求項２５】
前記変調された光信号が、人間の可視スペクトル外にある、請求項２３に記載のシステム。
【請求項２６】
デバイスに前記権利表現情報を行使させるために、前記変調された光信号を送信する手段をさらに備える、請求項２３に記載のシステム。
【請求項２７】
前記送信する手段は、照明器具を介して前記変調された光信号を送信する手段を含む、請求項２６に記載のシステム。
【請求項２８】
前記変調された信号ベースの表示が、変調された光パルスを含む、請求項２３に記載のシステム。
【請求項２９】
前記権利表現情報の複数の解釈に対応するために、前記変調された光パルスの特性を変化する手段をさらに備える、請求項２８に記載のシステム。
【請求項３０】
コンピューティング・デバイスに前記権利表現情報を行使させるために、ディスプレイ・デバイスを介して、前記変調された光信号を該コンピューティング・デバイスへ送信する手段をさらに備える、請求項２３に記載のシステム。
【請求項３１】
前記変調された信号ベースの表示が、変調された音信号を含む、請求項２２に記載のシステム。
【請求項３２】
前記変調された音信号が、人間の可聴周波数範囲内にある音周波数を含む、請求項３１に記載のシステム。
【請求項３３】
前記変調された音信号が、人間の可聴周波数範囲外にある音周波数を含む、請求項３１に記載のシステム。
【請求項３４】
デバイスに前記権利表現情報を行使させるために、前記変調された音信号を送信する手段をさらに備える、請求項３１に記載のシステム。
【請求項３５】
前記送信する手段がスピーカを含む、請求項３４に記載のシステム。
【請求項３６】
前記変調された信号ベースの表示が、変調された音のトーンを含む、請求項２２に記載のシステム。
【請求項３７】
前記権利表現情報の複数の解釈に対応するために、前記変調された音のトーンの特性を変化する手段をさらに備える、請求項３６に記載のシステム。
【請求項３８】
コンピューティング・デバイスに前記権利表現情報を行使させるために、電話装置を介して、前記変調された音信号を該コンピューティング・デバイスへ送信する手段をさらに備える、請求項３１に記載のシステム。
【請求項３９】
前記権利表現情報が、デジタル・コンテンツ、サービス、抽象物、リソース、及び物品の少なくとも１つの使用の態様を行使するために満足させなければならない条件を含む、請求項２２に記載のシステム。
【請求項４０】
第２の変調された信号が所定の方式で存在する場合に解釈される、第１の変調された信号を含む前記権利表現情報の前記変調された信号ベースの表示を生成する手段をさらに備える、請求項２２に記載のシステム。
【請求項４１】
前記変調された信号ベースの表示の解釈の条件として、前記権利表現情報の前記変調された信号ベースの表示が変更されていないことを判断する手段をさらに備える、請求項２２に記載のシステム。
【請求項４２】
前記権利表現情報に関連付けられた他の変調された信号ベースの表示、及び、前記権利表現情報に関連付けられた情報の１つに対するポインタとして、前記変調された信号ベースの表示を構成する手段をさらに備える、請求項２２に記載のシステム。
【請求項４３】
前記特定する手段及び前記生成する手段が、コンピュータ・システムのデバイスを含む、請求項２２に記載のシステム。
【請求項４４】
前記特定する手段及び前記生成する手段が、メディアに記録されたコンピュータ可読命令を含む、請求項２２に記載のシステム。
【発明の詳細な説明】
【技術分野】
【０００１】
本発明は、概して、コンテンツまたは他のアイテムに関連付けられた使用権を介してコンテンツまたは他のアイテムの使用をコントロールすることに関し、詳細には、グラフィック表示、変調された信号表示などのシンボル表示に基づいてコンテンツまたは他のアイテムの使用権を表現するシステム及び方法に関する。
【背景技術】
【０００２】
コンピューティング・デバイスで使用できる形態のデジタル・コンテンツ、例えば、文書、音楽、映画、ソフトウェア、情報などを、電子的手段、特にインターネットを介して広く頒布することに関する最も重大な問題の１つは、デジタル・コンテンツの頒布及び使用中に知的財産権を実施する能力の提供である。この問題を解決する技術は、ここではデジタル権利管理（ＤＲＭ）と呼ばれる。しかし、ＤＲＭシステムの効果を得るためには、考慮すべき多くの問題が存在する。少し列挙しただけでも、認証、許可、アカウンティング、支払いと金融決済、権利の特定、権利の検証、権利の実施、及び文書の保護、などの問題が存在する。
【０００３】
例えば、印刷文書及び他の物理的コンテンツの世界では、著作者によって作成された作品は、通常、出版者へ提供される。出版者は作品の体裁を整えて多数のコピーを印刷する。次に、コピーは頒布業者によって書店または他の小売業者へ送られ、そこからエンドユーザによって購入される。大部分の印刷文書の許可されない複写は、複写の低品質及び印刷物の大きな頒布コストによって抑止されてきたが、保護されていないデジタル・コンテンツを高品質で複写、修正、再頒布することは非常に容易である。したがって、デジタル・コンテンツを保護するメカニズムの必要性が存在する。
【０００４】
パーソナル・コンピュータ、ワークステーション、及び通信ネットワーク、例えばローカル・エリア・ネットワーク（ＬＡＮ）、イントラネット、及びインターネットを介して接続された他のデバイスのような現代の汎用コンピューティング及び通信システムの中で、人々が電子コンテンツの許可されないコピーを作成しないように防止または抑止することの困難性は広く認識されている。許可されない複写を防止するためハードウェア・ベースの解決法を提供する試みは、成功しないことが証明された。更に、高帯域幅またはブロードバンド通信技術の展開、及び現在知られている全米情報基盤（ＮＩＩ）の発展は、短縮されていない映画のようなビデオ・ファイルを含む大きな文書を電子的に頒布することを容易にし、デジタル・コンテンツの許可されない複写及び頒布の増加を容易にする。したがって、ＤＲＭ技術の更なる発展が必要とされ、大きな優先課題となっている。
【０００５】
共通に譲渡された特許文献１４は、デジタル・コンテンツの頒布をコントロールするＤＲＭシステムを開示する。そこでは、ＤＲＭシステムのデバイスが、システムに関連付けられたリポジトリを含むことができる。使用トランザクション・ステップから成る所定のセットが、コンテンツに関連付けられた使用権を実施するためリポジトリによって使用されるプロトコルを規定する。使用権はコンテンツと一緒に継続し、コンテンツに関連付けられた使用権はデジタル作品を含む。使用権は、コンテンツを閲覧、印刷、または表示する権利、コンテンツを１回だけ使用する権利、コンテンツを頒布または再頒布する権利のような、コンテンツの様々な使用の態様を許すことができる。そのような使用権は、支払いまたは他の条件に基づかせることができる。しかし、依然として、コンテンツに関連付けられた使用権及び／または条件を、柔軟及びロバストな方式で表現及び実施するシステム及び方法の更なる必要性が存在する。
【０００６】
なお、特許文献１〜２４は、本発明に関連する技術について記載している。
【特許文献１】米国特許第５０９１９６６号明細書
【特許文献２】米国特許第５１２８５２５号明細書
【特許文献３】米国特許第５１６８１４７号明細書
【特許文献４】米国特許第５２２１８３３号明細書
【特許文献５】米国特許第５２４５１６５号明細書
【特許文献６】米国特許第５４４４７７９号明細書
【特許文献７】米国特許第５４４９８９５号明細書
【特許文献８】米国特許第５４４９８９６号明細書
【特許文献９】米国特許第５４５３６０５号明細書
【特許文献１０】米国特許第５５２１３７２号明細書
【特許文献１１】米国特許第５５３０２３５号明細書
【特許文献１２】米国特許第５５７６５３２号明細書
【特許文献１３】米国特許第５６２９９８０号明細書
【特許文献１４】米国特許第５６３４０１２号明細書
【特許文献１５】米国特許第５６３８４４３号明細書
【特許文献１６】米国特許第５６８４８８５号明細書
【特許文献１７】米国特許第５７１５４０３号明細書
【特許文献１８】米国特許第５８６４１２７号明細書
【特許文献１９】米国特許第６０００６１３号明細書
【特許文献２０】米国特許第６０７６７３８号明細書
【特許文献２１】米国特許第６１８２９０１号明細書
【特許文献２２】米国特許第６２０８７７１号明細書
【特許文献２３】米国特許第６２３３６８４号明細書
【特許文献２４】米国特許第６２３６９７１号明細書
【発明の開示】
【発明が解決しようとする課題】
【０００７】
上記及び他の必要性は、使用権の変調または変更された信号またはグラフィック表示に基づいてコンテンツまたは他のアイテムの使用権を表現する改善されたシステム及び方法を提供する本発明の実施形態によって対処される。
【課題を解決するための手段】
【０００８】
したがって、１つの態様では、権利表現に従ってアイテムの使用をコントロールするため、システムで使用されるアイテムに関連付けられた権利表現を作成する方法が提供される。この方法は、アイテムの使用の方法を示す権利表現情報を特定し、前記権利表現情報の変調された信号ベースの表示を生成することを含む。前記変調された信号ベースの表示は、アイテムの使用をコントロールするためシステムのインタープリタによって解釈され、権利表現情報に基づいて権利表現の実施を許すように構成される。
【０００９】
本発明の更なる他の態様、特徴、及び利点は、本発明を実行するために考えられる最良形態を含む多数の例示的実施形態及び実現形態を単に例証する次の詳細な説明から容易に明らかとなる。本発明は、他の異なった実施形態も可能であり、その幾つかの詳細部分は、本発明の趣旨及び範囲から逸脱することなく様々な点で修正可能である。したがって、図面及び説明は例示的な性質を有し、限定的ではないと考えるべきである。
【発明を実施するための最良の形態】
【００１０】
本発明は、添付の図面で例として説明され、限定としては説明されない。添付の図面において、同様の参照番号は類似の要素を意味する。
【００１１】
使用権の変調された信号またはグラフィック表示に基づいてコンテンツまたは他のアイテムの使用権を表現するシステム及び方法が説明される。この後の説明において、明瞭を目的として、多数の詳細部分が説明され、本発明の完全な理解を提供する。しかし、本発明は、これらの詳細部分がなくても実施可能であり、同等のアレンジを使用して実施可能であることは当業者に明らかである。幾つかの場合には、本発明を不必要に不明瞭にすることを避けるため、良く知られた構造及びデバイスはブロック・ダイアグラム式で示される。
【００１２】
前述したように、認証、許可、アカウンティング、支払いと金融決済、権利の特定、権利の検証、権利の実施、及び文書保護の問題は、デジタル権利管理システムによって対処されるべきである。共通に譲渡され、参照してここに組み込まれる特許文献１１、特許文献１３、特許文献１４、特許文献１５、特許文献１７、特許文献２３、特許文献２４の全ての完全な開示は、これら及び他の問題に対処するＤＲＭシステムを開示する。
【００１３】
更に、情報をシンボルで表示するシステム及び方法が開発された。例えば、書籍の名前、書籍の価格、街路アドレスなどは、機械または人間、またはこれらの双方が読み取ることのできる１次元または２次元のバーコード、パターン、グリフ、アルファベット、または他のシンボルで表示可能である。共通に譲渡され、参照してここに組み込まれる特許文献１、特許文献２、特許文献３、特許文献４、特許文献５、特許文献６、特許文献７、特許文献８、特許文献９、特許文献１０、特許文献１２、特許文献１６、特許文献１８、特許文献１９、特許文献２０、特許文献２１、特許文献２２の全ての完全な開示は、様々なタイプのグリフ及び／またはその使用に向けられている。
【００１４】
例えば、特許文献２２は、グリフ・アドレス・カーペットをロバストにデコードする方法及び装置を教示し、特許文献２０は自己クロック・グリフ形状コードを教示し、特許文献１６は色彩関係に基づくバイナリ・グリフ・コードを教示し、特許文献１８はアナログ・グリフ検出器及び検出器アレイを教示し、特許文献１２は自己クロック・グリフ・コードのインターリーブ及びインターレースされた同期コード及びアドレス・コードを教示し、特許文献１９はマルチビット・デジタル値を分散エンコードする合成グリフを有する自己クロック・グリフ・コードを教示し、特許文献２１は自己クロック・グリフ・コードの方向一義化を教示し、特許文献１０は自己クロック・グリフ・コードをロバストに同期化及びアドレスするフレーミング・コードを教示し、特許文献９は自己クロック・グリフ・コードのグローバルなアドレス可能性を教示し、特許文献８は自己クロック・グリフ・コードと一緒に使用されるランダム・アクセス手法を教示し、特許文献７は自己クロック・グリフ・コードの明示同期化を教示し、特許文献４は自己クロック・グリフ・コードを読み取るときのビット誤り率を低減する方法及び手段を教示し、特許文献６はグリフを使用した電子著作権使用料アカウンティング・システムを教示し、特許文献５はデュアルビット・デジタル値をロバストにエンコードする自己クロック・グリフ・コードを教示し、特許文献２は自己クロック・グリフ形状コードをデコードする畳み込みフィルタリングを教示し、特許文献３は自己クロック・グリフ形状コードをデコードするバイナリ画像処理を教示し、特許文献１は空間周期自己クロック・グリフ形状コードをデコードする適応性スケーリングを教示する。
【００１５】
ここで説明される例示的実施形態は、好適には、デジタル・コンテンツ、サービス、抽象物、リソース、物品などのアイテムに関連した権利情報を表現する権利表現のシンボル表示をテコ入れする。更に、シンボル表示は、権利表現情報、使用権を処理する文法または言語に関する情報、情報へのアクセスに関する情報などを伝達するために使用可能である。例えば、ライセンスの形式をした権利表現は、デジタル・コンテンツへのアクセスのような、アイテムの許可された使用の態様を特定する使用権を規定するために使用可能である。そのような使用権は、アイテムの特定された使用の態様を行使する前提条件となる支払いのように、１つまたは複数の条件に関連付けることができる。例えば、前もって定義された構文及び意味を含む拡張可能権利マークアップ言語（ＸｒＭＬ）のような権利表現言語は、使用権を表現するために使用可能である。
【００１６】
例示的実施形態によれば、コンテンツに関連付けられた使用権に対応する権利表現情報は、権利表現情報のグラフィック表示によって表現することができる。更なる例示的実施形態では、グラフィック表示は、グリフ、機械及び人間が読み取り可能なシンボル、及び権利表現情報を表現する他のタイプのシンボルを含むことができる。更なる例示的実施形態では、権利表現情報は、変調された光及び音信号のように、変調された信号によって表現可能である。好適には、例示的実施形態は、使用権、条件、デジタル・コンテンツに関連したアクセス、サービス、抽象物、アイテム、リソースなどに関する情報を柔軟かつロバストな方式で伝達するため、シンボル表示と権利表現とを組み合わせる。
【００１７】
ここで図面を参照する。同様の参照番号は、幾つかの図面を通して同一または対応する部分を示す。特に、図１を参照すると、コンテンツ、サービス、または他の財産の使用権を特定及び実施するため、説明される例示的実施形態と関連させて使用できるＤＲＭシステム１００が示される。図１において、ＤＲＭシステム１００は起動サーバ１１０の形式をしたユーザ起動コンポーネントを含む。起動サーバ１１０は、公開鍵及び秘密鍵のペア１１２のセットを、保護された形式でコンテンツ・ユーザへ発行する。一般的には、ユーザがＤＲＭシステム１００を最初に使用するとき、ユーザは、例えば、特定のコンテンツ・フォーマットのレンダリング・アプリケーションと一緒に働くか、それを含むソフトウェアをインストールする。
【００１８】
ソフトウェアは、ユーザに関連付けられたコンピューティング・デバイスのようなクライアント環境１２０の中にインストールされる。ソフトウェアは、ＤＲＭシステム１００の一部分であることができ、被保護コンテンツ１３４にアクセスするために使用可能である。インストールの後、ソフトウェアは起動されることができる。起動プロセスの間、幾つかの情報が起動サーバ１１０とクライアント環境１２０との間で交換される。クライアント・ソフトウェア・コンポーネント１２２は、クライアント環境の中へダウンロードされ、インストールされることができる。クライアント・ソフトウェア・コンポーネント１２２は、他のコンポーネントと同じように、改ざんされることができず、起動サーバ１１０によって発行された公開鍵及び秘密鍵のペア１１２のセットを含むことができる。
【００１９】
権利オファー１３２は、被保護コンテンツ１３４に関連付けることができ、例えば、１つまたは複数の対応する条件１３２Ｂが満足されたときエンドユーザが利用できる使用権１３２Ａを特定することができる。ライセンス・サーバ１４０は、暗号化鍵１１２を管理し、被保護コンテンツ１３４のライセンス１４２を発行する。ライセンス１４２は、エンドユーザへの使用権１３２Ａの実際の付与を具体化することができる。例えば、権利オファー１３２は、５ドルの料金を支払う条件で、被保護コンテンツ１３４を閲覧する権利をエンドユーザへ付与し、１０ドルの料金を支払う条件で、被保護コンテンツを印刷する権利を付与してよい。ライセンス１４２は、５ドルの料金が支払われたとき閲覧権について発行され、及び／または１０ドルの料金が支払われたとき印刷権について発行されることができる。クライアント・コンポーネント１２２は、ライセンス１４２で特定された権利を解釈して実施する。
【００２０】
被保護コンテンツのような平文（非暗号化）コンテンツ１３６は、コンテンツの出版者、コンテンツの頒布業者、コンテンツのサービス提供者、または任意適当な当事者に関連付けられたコンピュータ１３０にインストールされた文書準備アプリケーションのようなアプリケーション１３８を使用して準備されることができる。平文コンテンツ１３６の準備は、使用権１３２Ａ及び平文コンテンツ１３６を使用できる条件１３２Ｂについて権利情報を特定し、権利オファー１３２を平文コンテンツ１３６に関連付け、例えば、暗号化アルゴリズムを使用して平文コンテンツ１３６を保護し、被保護コンテンツ１３４を生成することを含む。ＸｒＭＬ、拡張可能アクセス制御マークアップ言語（ＸＡＣＭＬ）、オープン・デジタル・ライト言語（ＯＤＲＬ）などの権利言語は、権利オファー１３２を特定するために使用可能である。しかし、権利オファー１３２は、任意適当な方式で特定可能である。ここで使用される「権利情報を特定し」との句は、権利表現に関連した情報の作成、引き出し、または利用を意味する。更に、権利オファー１３２は、既定の仕様、プロフィール、テンプレートなどの形態であってよく、これらは被保護コンテンツ１３４に関連付けることができる。したがって、権利オファー１３２を特定するプロセスは、権利、条件などをコンテンツに関連付ける任意適切なプロセスを含むことができる。被保護コンテンツ１３４に関連付けられた権利オファー１３２、及び平文コンテンツ１３６を暗号化するために使用される暗号化鍵１１２は、ライセンス・サーバ１４０へ送信されることができる。
【００２１】
ＤＲＭシステム１００の一般的ワークフローは、クライアント環境１２０で動作しているユーザが、被保護コンテンツ１３４を受け取るように起動サーバ１１０によって起動されることを含む。起動プロセスの結果として、公開鍵及び秘密鍵のペア１１２、及びユーザ及び／または機械特定情報が、クライアント・ソフトウェア・コンポーネント１２２の形式でクライアント環境１２０へダウンロードされる。起動プロセスは、例えば、ライセンス１４２の発行前の任意適切な時点で達成されることができる。
【００２２】
ユーザが、被保護コンテンツ１３４を使用したいと望むとき、ユーザは、被保護コンテンツを要求する。例えば、ユーザは、クライアント環境１２０にインストールされたブラウザを使用して、Ｗｅｂサーバ１５０で実行されているＷｅｂサイトを閲覧し、被保護コンテンツ１３４のダウンロードを試みることができる。このプロセスの間、ユーザは、例えば、コンテンツを販売するときの料金トランザクション、情報収集のような他のトランザクションを含む一連のステップを進むことができる。料金の収集、及びユーザが起動されたことの検証など、適切な条件及び他の前提条件が満足されたとき、Ｗｅｂサーバ１５０は、例えば、セキュア・ソケット・レイヤ（ＳＳＬ）を使用するチャネルのような安全な通信チャネルを介して、ライセンス・サーバ１４０とコンタクトする。次に、ライセンス・サーバ１４０は、被保護コンテンツ１３４のライセンス１４２を生成し、Ｗｅｂサーバ１５０は、被保護コンテンツ１３４及びライセンス１４２の双方をダウンロードする。ライセンス１４２は、使用権１３２Ａの適切な使用権を含むことができ、ライセンス・サーバ１４０または関連デバイスからダウンロードされることができる。被保護コンテンツ１３４は、出版者、頒布業者、または他の当事者に関連付けられたコンピュータ１３０からダウンロードされることができる。権利オファー１３２は、被保護コンテンツ１３４に関連付けられて継続することができる。
【００２３】
次に、クライアント環境１２０におけるクライアント・ソフトウェア・コンポーネント１２２は、ライセンス１４２を解釈し、ライセンス１４２で特定された権利１３２Ａ及び条件１３２Ｂに基づいて、被保護コンテンツ１３４の使用を許すことができる。使用権の解釈及び実施は、例えば、共通に譲渡された特許文献１１、特許文献１３、特許文献１４、特許文献１５、特許文献１７、特許文献２３、特許文献２４で詳細に説明される。前記のステップは、順次、ほぼ同時、様々な順序などで起こることができる。
【００２４】
ＤＲＭシステム１００は、被保護コンテンツ１３４を保護するセキュリティの局面に対処する。具体的には、ＤＲＭシステム１００は、ライセンス・サーバ１４０によって発行されたライセンス１４２を認証することができる。そのような認証を達成する１つの方法は、クライアント・ソフトウェア・コンポーネント１２２が、ライセンス１４２を信頼できるかどうかを決定することである。言い換えれば、クライアント・ソフトウェア・コンポーネント１２２は、ライセンス１４２の暗号署名または他の識別特性を検証及び／または確認する能力を含むことができる。前述した起動ステップの間、クライアント環境１２０及びライセンス・サーバ１４０は、鍵１１２のセットを、改ざんされないソフトウェア・パッケージの中で受け取ることができる。このソフトウェア・パッケージは、起動されたクライアント環境１２０が、ライセンス１４２の署名を検証するクライアント・ソフトウェア・コンポーネント１２２のような他のコンポーネントを含むことができる。
【００２５】
ＤＲＭシステム１００は、例示的性質を有し、他の多くの同等なアレンジとして実現されることができる。例えば、ライセンス１４２及び被保護コンテンツ１３４は、異なったエンティティから頒布されることができる。他の例として、権利オファー１３２は、被保護コンテンツ１３４を準備する当事者以外の当事者によって、被保護コンテンツ１３４へ関連付けられる。更なる例として、支払いトランザクションを処理し、ライセンス１４２を発行する前に支払いを検証するため、決済機関１６０を使用することができる。更に、様々なプロセス及びトランザクションは、例えば、オンライン及び／またはオフライン環境及び／またはこれらの組み合わせを介して実行されることができる。例えば、エンドユーザは、コンテンツをコンピュータへダウンロードし、次にコンピュータからパーソナル・デジタル・アシスタント（ＰＤＡ）へコンテンツを転送することができる。エンドユーザは、スーパーマーケット・キオスク、キャッシュ・レジスタ、プリペイド・ライセンス・カードなどを介してコンテンツのライセンスを購入し、そのライセンスをＰＤＡへ転送することができる。エンドユーザは、コンテンツを起動してＰＤＡ及び／またはコンピュータで使用することができる。そのようなオフライン・シナリオでは、様々なデバイスが相互に直接交信することができるが、その必要はなく、任意適切な方式で、例えばデバイスの間でメディアを物理的に移動することによって、情報を交換することができる。
【００２６】
図１のＤＲＭシステム１００のデバイス及びサブシステムは、例えば通信ネットワーク１７０を介して通信することができ、開示された例示的実施形態のプロセスを実行することができる任意適切なサーバ、ワークステーション、パーソナル・コンピュータ（ＰＣ）、ラップトップ・コンピュータ、ＰＤＡ、インターネット機器、セット・トップ・ボックス、モデム、ハンドヘルド・デバイス、電話、携帯電話、ワイヤレス・デバイス、他のデバイスなどを含むことができる。ＤＲＭシステム１００のデバイス及びサブシステムは、例えば、任意適切なプロトコルを使用して相互に通信することができ、汎用コンピュータ・システムを使用して実現されることができる。ＤＲＭシステム１００の中では、インターネット・アクセス、音声、モデムなどの任意適切な形式の電気通信、ワイヤレス通信メディアなどを含む１つまたは複数のインタフェース・メカニズムを使用することができる。したがって、通信ネットワーク１７０は、例えば、ワイヤレス通信ネットワーク、セルラ通信ネットワーク、衛星通信ネットワーク、公衆電話回線網（ＰＳＴＮ）、パケット・データ・ネットワーク（ＰＤＮ）、インターネット、イントラネット、ハイブリッド通信ネットワーク、及びこれらの組み合わせを含むことができる。更に、通信ネットワーク１７０は、同一または異なったネットワークであってよい。
【００２７】
前述したように、図１のＤＲＭシステム１００は、例示的目的を有し、開示された例示的実施形態を実現するために使用される特定のハードウェアは、多くの変形が可能である。例えば、ＤＲＭシステム１００のデバイス及びサブシステムの機能は、１つまたは複数のプログラムされたコンピュータ・システムまたはデバイスによって実現可能である。そのような変形及び他の変形を実現するため、ただ１つのコンピュータ・システムをプログラムして、ＤＲＭシステム１００の１つまたは複数のデバイス及びサブシステムの特殊目的機能を実行させることができる。他方では、ＤＲＭシステム１００のデバイス及びサブシステムの任意の１つを、２つ以上のプログラムされたコンピュータ・システムまたはデバイスで置換することができる。したがって、冗長性、レプリケーションなどの分散処理の原理及び利点を所望のままに実現して、例えば、ＤＲＭシステム１００のロバストネス及びパフォーマンスを増進させることができる。
【００２８】
グリフ・シンボルのようなグラフィック表示を使用して、権利オファー１３２のような権利情報を表現するシンボル表示に向けられた本発明の例示的実施形態を説明する。図２〜図２４で示された例示的グリフは、印刷形式のような可視形式、電子的形式のようなデジタル形式などで生成される。セキュリティまたは他の目的のため、バックグラウンド及びフォアグラウンドのシンボルを使用することができる。例えば、バックグラウンド・シンボルは、人間には意味を有しないように構成されることができ、ハッカーを混乱させるようなセキュリティ目的に使用されるが、所定のパターン、配置、マーカ、コード、ポインタの組み合わせなどに基づいてバックグラウンド・シンボルから分離または識別できるフォアグラウンド・シンボルは、権利表現情報を表現するために構成及び使用される。更に、ランダムまたはセミランダムな雑音をシンボルの中で使用して、例えば、更なるセキュリティ機能または他の機能を提供することができる。
【００２９】
更に、バックグラウンド・シンボル及びフォアグラウンド・シンボルの双方は、人間及び機械に対して意味を有することができる。その場合、バックグラウンド・シンボルの意味は、フォアグラウンド・シンボルの意味を解釈するために使用可能である。更に、ＤＲＭシステム１００は、第２のシンボルが第１のシンボルと同じサブストレートに印刷されているか、第１のシンボルに対して或る物理的ロケーションに印刷されている場合のように、第２のシンボルが所定の方式で存在する場合に、第１のシンボルを解釈するように構成されることができる。
【００３０】
例えば、例示的実施形態によれば、権利表現のグラフィック表示は、バックグラウンド部分及びフォアグラウンド部分を含むことができる。バックグラウンド部分は、例えば、当日が水曜日であるという所定の条件が満足されなければ、意味を有しないように構成されることができる。他の例として、フォアグラウンド部分は、「このアイテムを走査しており、走査が２００３年７月４日より後であれば、バックグラウンド部分で追加情報を見ること。そうでなければ、バックグラウンド部分を無視すること。」を特定するように構成されることができる。したがって、例えば、ここで説明される例示的実施形態のシンボル表示のグラフィック及び他の形式を使用して、バックグラウンド部分とフォアグラウンド部分との様々な関係を、適切な権利表現に関して特定することができる。
【００３１】
例示的実施形態のシンボルは、更に、冗長情報を伝達するために使用されることができる。例えば、部分的に損傷を受けやすいペーパー・チケットの場合、対応する読み取り機は、損傷したチケットを読み取って、シンボルによって伝達される冗長情報に基づいて権利表現情報を抽出することができる。そのような冗長性は、幾つかのシンボルまたは全てのシンボルの情報をオーバーラップまたは重複させ、チケット読み取り機の正確性を改善することによって達成されることができる。更に、シンボルは、例えば、解釈された権利表現情報の矛盾を解決できることを保証するため、検証及びセキュリティの目的で、チェックサム、誤り訂正コードなどを含むことができる。例示的実施形態は、更に、電子的情報などのデジタル情報を含む権利表現情報に適用可能である。例えば、例示的実施形態は、権利表現情報を含むデジタル・メディアが損傷し、デジタル・シンボルを取得する複数の方法が望まれる場合に使用されることができる。
【００３２】
例示的実施形態のシンボルは、例えば、明瞭でないパターン、形状として、他の画像、パターンなどの中へ隠されることができる。次に、そのようなシンボルは、所定のパラメータ、及び隠された情報のパラメータに関する所定の知識を有する適切なシステム、マシン、デバイスなどによって検出されることができる。更なる例示的実施形態において、シンボルは他の画像におけるウォーターマーク（電子透かし）の一部分であることができる。他の技術、例えば、感熱インク、磁気インク、非可視インク、或る角度、異なった化学条件、異なった照明で見ることのできるインクなどの特殊インク技術を、シンボルの生成、ウォーターマークの目的などに使用することができる。
【００３３】
例示的実施形態において、シンボルは、例えば、ライセンス、文法、権利表現、権利割り当て、支払い、メタデータ、コンテンツ所有者、コンテンツに関する履歴、コンテンツの状態、暗号化鍵、期限切れの日付、デジタル署名、条件、制約、自己保護文書のパラメータ、エンドユーザがレンダリング、消費、使用、頒布することのできるデジタル作品、コンテンツ、デジタル・コンテンツ、リソース、物品などに関する情報を伝達することができる。
【００３４】
更に、例示的実施形態のシンボル・パターンは、アクション、コマンド、機能、手順、モジュール、サブルーチン、実行可能コードなどに関する情報を伝達するために使用されることができる。例えば、抽出された情報は、決済機関を介して特定のアカウントへ資金の転送を命令し、特定のアドレスへｅブックの転送を命令し、被保護コンテンツ１３４のようなコンテンツの頒布または転送に制限を設け、コンテンツのユーザに制限を加え、コンテンツが所定回数使用された後に公開／秘密鍵のペア１１２のような暗号鍵を破壊し、コンテンツへのアクセスを停止または打ち切り、コンテンツ所有者に関する情報を送信し、コンテンツに関する情報を送信し、商標権者に関する情報を送信し、著作権者に関する情報を送信し、使用料及び／または少額決済を総計した情報を送信し、コンテンツの頒布状態に関してコンテンツ所有者へｅメールの返信を命令することができ、異なったロケーションからのコンテンツの異なったセクション、部分、または章を組み合わせるか付加してマルチメディア・ブックまたはニュースレターを制作するために使用されることができる。そのような情報は、例えば、元のコンテンツへ記録されて、それを更新するか、元のコンテンツから作られたコピーへ記録されることができる。例示的実施形態は、複写機、カメラ、ビデオレコーダ、ＣＤライタ、記録デバイス、複写デバイス、複製デバイス、コンピューティング・デバイス、レンダリング・デバイスなどで使用されることができる。
【００３５】
前述したように、例示的実施形態は、例えば、共通に譲渡された特許文献１で説明されているように、空間周期自己クロック・グリフ形状コードを使用することができる。その場合、侵食、膨張、開口、閉止操作などの畳み込みフィルタリング及び形態操作に基づいたデコーディングを使用することができる。好適には、そのような例示的実施形態は、顕著な量の画像ひずみ及び劣化高周波雑音に耐えることができる。
【００３６】
例示的実施形態は、更に、共通に譲渡された特許文献４で説明されているように、自己クロック・グリフ・コードを読むときのビット誤り率を低減することができる。その場合、所与のグリフへ割り当てられた値は、所与のグリフが最も混同されやすいグリフへ割り当てられた値から１ビット位置だけ異なるように設定されることができる。
【００３７】
ロバストなデコーディングを実行し、誤り率を小さくするため、例示的実施形態は、シンボル・セルの適切なデザイン、例えば、各々のグリフについて対応するピクセル値を有するピクセルアレイの位置、を備え、独立して変調可能で容易に識別可能な複数の特性、例えば、ほぼ直交特性、を有するグリフを含むことができる。例えば、デコーディングを目的とした空間同期及び方向決定は、マーカまたはパターンによって達成され、誤りの伝搬を低減することができる。例えば、例示的実施形態は、共通に譲渡された特許文献１２で説明されるように、インターリーブされたコード、インターレースされたコードなどを使用することができる。これらのコードは、そのようなグリフ・コードの中に埋め込まれたデータの区分及び相関を容易にするようにエンコードすることができる。例示的実施形態は、これから更に説明するように、合成グリフ及び異なった色または陰影を有するグリフを使用することができる。
【００３８】
したがって、図２は円から導かれる８つのシンボル２０１〜２０８から成るセット２００を示し、これらのシンボルは権利表現を表現するために使用することができる。図３は長方形から導かれる４つのシンボル３０１〜３０４から成るセット３００を示し、これらのシンボルは権利表現を表現するために使用することができる。図４は円構造から導かれる８つのシンボル４０１〜４０８から成るセット４００を示し、これらのシンボルは権利表現を表現するために使用することができる。図５は円構造から導かれる８つのシンボル５０１〜５０８から成るセット５００を示し、これらのシンボルは権利表現を表現するために使用することができる。図６は円構造から導かれる８つのシンボル６０１〜６０８から成るセット６００を示し、これらのシンボルは権利表現を表現するために使用することができる。図７は正方形構造の４つの辺及び２つの対角線から導かれる８つのシンボル７０１〜７０８から成るセット７００を示し、これらのシンボルは権利表現を表現するために使用することができる。図８は正方形構造の４つの辺及び２つの対角線から導かれる８つのシンボル８０１〜８０８から成るセット８００を示し、これらのシンボルは権利表現を表現するために使用することができる。図９は正方形構造の２つの辺及び２つの対角線から導かれる４つのシンボル９０１〜９０４から成るセット９００を示し、これらのシンボルは権利表現を表現するために使用することができる。図１０は正方形構造の４つのコーナーから導かれる４つのシンボル１００１〜１００４から成るセット１０００を示し、これらのシンボルは権利表現を表現するために使用することができる。図１１は正方形構造の４つの辺及び２つの対角線から導かれる８つのシンボル１１０１〜１１０８から成るセット１１００を示し、これらのシンボルは権利表現を表現するために使用することができる。図１２は円形構造から導かれる８つのシンボル１２０１〜１２０８から成るセット１２００を示し、これらのシンボルは権利表現を表現するために使用することができる。図１３は１つの正方形及び０度、９０度、１８０度、２７０度回転した三角形の４つの異なった方向を使用する５つのシンボル１３０１〜１３０５から成るセット１３００を示し、これらのシンボルは権利表現を表現するために使用することができる。図１４は星形構造から導かれる４つのシンボル１４０１〜１４０４から成るセット１４００を示し、これらのシンボルは権利表現を表現するために使用することができる。
【００３９】
図１５は図１４の星形構造から導かれるシンボルから成るセット１５００を示し、これらのシンボルは権利表現を表現するために使用することができる。図１５では、シンボル１４０１〜１４０４の各々を、赤、緑、及び青（ＲＧＢ）の色空間から取ることができる。したがって、図１４の星形の４つのシンボル１４０１〜１４０４の各々は、赤（Ｒ）、緑（Ｇ）、及び／または青（Ｂ）の色を含むことができる。したがって、色が組み合わせられない基本的な場合、１２のシンボルを生成することができる（例えば、４つのシンボル×３つの色）。しかし、図１６で示されるように、メンバーまたはシンボルの数を増加するため、図１５のセット１５００から導かれ、オーバーラップする色を有する複合シンボルを生成することができる。
【００４０】
図１６では、異なった色の２つ以上のシンボル（例えば、１２の全てのシンボル）を、１つの物理的ロケーションで重なるように組み合わせ、星形の各々の部分を異なった色または組み合わせた色にして、星形の一部分または全体を生成することができる。例えば、図１６では、結果の水平シンボル１４０１の色を緑及び赤のシンボル１４０１の組み合わせに基づかせ、垂直シンボル１４０２の色を緑にし、対角線シンボル１４０３の色を青にすることができる。説明された組み合わせは、図１６で示されるように、複合シンボル１６０１を表示するために使用することができる。こうして、図１６で示されるように、図１４からのセット１４００よりも多いシンボル選択肢を有する複合シンボルから成る新しいセットを定義することができる。したがって、図１６で示されるように、新しいセットにおける複合シンボルの数は、ブランクの空間はシンボルと考えないものと仮定して、（２12−１）すなわち４０９５個である。図１６の例示的実施形態と同じく、好適には、複合シンボルの選択肢が多くなると、それだけ多くの複雑かつ包括的なシンボル表示を、権利表現の文法、言語などのために生成することができる。
【００４１】
更なる例示的実施形態では、他の色空間、例えばイエロー、マゼンタ、及びシアン（ＹＭＣ）色空間を使用することができる。通常は、イエロー、マゼンタ、シアン、及びブラック（ＹＭＣＫ）色空間は使用することができない。なぜなら、Ｋ成分の情報はＹＭＣ成分の組み合わせの情報とオーバーラップし、Ｋ成分の寄与は組み合わせの寄与から容易に識別できないからである。それによって、デコーディング・プロセスの間に混同が生じる。なぜなら、ただ１つの明快な１対１の関係及び解釈を決定できないからである。
【００４２】
生成されたシンボルの色を検出するため、相対的に非常に高い正確度でセンサ、検出器などを使用することができる。図１６のシンボル１６０１のような複合シンボルでは、色の検出から実質的に独立して、角度検出を行うことができる。こうして、色検出の誤りから独立して角度検出の誤りが起こり（及び、その逆も起こる）、好適には、例えば、誤りの伝搬が低減され、生成された複合シンボル、または複合シンボルから生成されたメッセージのデコーディング及び認識の全体的誤り率が低減される。
【００４３】
セットのメンバー数を増加する例示的実施形態は、図１７の例によって示される。図１７では、左から右へ読まれ、Ｎ個のワードを有し、図１０で示されるセット１０００の４つのシンボル１００１〜１００４を使用するメッセージが示される。この例では、左からスタートして右へ読み取られる３つずつのシンボルが１つのワードを表す。その場合、シンボルはワードの中の文字を表し、各々のワードは３つの文字を含む。図１７で示されるように、例えば、最初のワードはシンボル１００２、１００４、１００１のシーケンスを含み、２番目のワードはシンボル１００３、１００３、１００４のシーケンスを含み、Ｎ番目のワードはシンボル１００１、１００２、１００３のシーケンスを含む。以下同様である。したがって、ワードのセットを定義することができ、ブランクの空間はワードの中で使用されないと仮定して、セットの中のワードの数は、４3すなわち６４個（例えば、ワードごとに３つのシンボルを有する４つのシンボル）である。
【００４４】
シンボルの一部分の上に余分な線が引かれたり、シンボルの一部分から線が削除されたりするような物理的レベルの誤りが生じるならば、１つのワードまたはシンボルが他のワードまたはシンボルと混同される可能性がある。これは、１００シンボルの長さで定義されたワード（例えば、各々のワードが１００個のシンボルを直列に含む）のように、長いワードで問題となる。そのような場合、位置、回転、方向、同期化などのために、より多くのマーカを使用することができる。更に、パリティ・コード、チェックサム・コード、誤り検査または訂正スキームなどを使用して、誤り率の低減を助けることができる。更に、シンボルまたはワードの認識を良好にし、認識を確実にし、混同を少なくするため、セットのメンバーの幾つかを除外して全く使用しないようにすることができる。
【００４５】
例えば、図１６及び図１７の例示的実施形態を組み合わせて、結果のセットの中でメンバーの数を増加することができる。更に、文法、規則などを、図１７で定義されたワードの間に付加して、結果のセットの中でメンバーの数を更に増加することができる。例えば、文法、規則などを使用して、ワード間の関係、ワードの順序、コンテキストの意味、例外などを特定することができる。一般的規則、例えば、英語の文法規則、コンピュータ言語の規則、アルゴリズムの規則、文法、例えば、パスカル（Ｐａｓｃａｌ）、拡張可能マークアップ言語（ＸＭＬ）、ＦＯＲループ構造なども使用することができる。
【００４６】
結果として生じた複合シンボルまたはワードの比較的大きなセットは、例えば、テーブル、データベース、式、曲線、翻訳スキーム、既定のマッピング関係または非固定及び可変マッピング関係のようなダイナミックなマッピング関係、コンテキスト、状況、または他のパラメータに依存するマッピング関係に関して、マップし、表示し、短縮し、シンボル化し、異なった完全メッセージ、部分メッセージ、英語の句、ワード、文字、部分ワード、圧縮テーブル、英語または他の言語の辞書、他のシンボル、他のグリフ、他の文字、他の言語、論理表現、コンピュータ・コマンド、実行可能コード、コードの部分、人間が読み取れる他の言語またはシンボル、音声、音響、音声認識コマンド、命令、規則、番号、文法、権利割り当てのパラメータ、またはアイテムへのアクセスの付与またはコントロール、条件、料金、日付、アイテムに関する情報、またはアイテムの所有者に関する情報に対応させ、特定のアクション、例えば、資金またはアイテムの転送、コンテンツの消去、アイテムへのアクセスを不能にするか防止することを要求し、そのようなアクションの実行を要求するために使用可能である。
【００４７】
例えば、図１８は、図１５で示されるセット１５００のシンボルを使用して、ｅブックへのアクセスの期限切れ日付を示す例示的権利表現を示す。図１８において、データベースにおけるブック識別（ＩＤ）番号は２４５であり、これは、例えば、所与の著作者の小説を参照し、アクセスの期限切れ日付は２００３年７月１２日である。したがって、最初の複合シンボルは句「ブック（すなわち、リソース）ＩＤ番号」を表現するために使用され、２番目の複合シンボルは整数「２４５」を表現するために使用され、３番目の複合シンボルは句「アクセス／期限切れ日付」を表現するために使用され、４番目の複合シンボルは月日（「７月１２日」または７−１２）を表現するために使用され、５番目の複合シンボルは年「２００３」を表現するために使用可能である。
【００４８】
同様に、任意適切な表現、文法、規則などは、例示的実施形態のグリフ及び／または複合シンボルに基づいて表現されることができ、好適には、権利マネジメント、権利割り当てなどを可能にする。説明される例示的実施形態を使用して表現されることのできる権利割り当て及びマネジメントの追加の例示的表現及び／または文法、例えば、ＸｒＭＬ言語、文法、表現、ステートメント、ライセンス、権利割り当てなどは、例えば、共通に譲渡された特許文献１７、特許文献１３、特許文献２４、特許文献２３、特許文献１４、特許文献１５、特許文献１１に説明されている。
【００４９】
図１９は、図１５で示されるセット１５００のシンボル１４０１〜１４０４を使用して表現されるアクションを実行する例示的権利表現を示す。例えば、図１９において、アクションは、ＩＤ番号２１２を有する銀行のアカウント番号４３５へ５５米国ドルの資金を送ることである。例示的実施形態によれば、表現されるアクションは、任意適切なタイプのアクションを含むことができ、階層的、論理的、条件的などのステートメントを構造の中に有する複雑な構造であることができる。
【００５０】
図２０は、図１５で示されるセット１５００のシンボル１４０１〜１４０４を使用してアクションを実行する例示的権利表現を示す。例えば、図２０において、アクションはＩＤ番号１２５を有するｅブック・ファイルの消去であることができる。例示的実施形態によれば、表現されるアクションは、権利マネジメント・アクション、編集アクション、組み合わせアクション、アイテム、オブジェクト、またはリソースを転送するアクションを含むことができる。
【００５１】
図２１は、図１５で示されるセット１５００のシンボル１４０１〜１４０４を使用してＩＤ番号４４３及び１２を有する２つのｅブックを１００コピー印刷する権利を表現する例示的権利表現を示す。図２１で示されるように、ＡＮＤ、ＯＲ、排他的ＯＲ（ＸＯＲ）などの論理句が例示的権利表現の中で使用可能である。例示的実施形態によれば、使用されるグリフは、自分自身の内部論理、規則、文法、構造、オプション、順序などを含むことができる。
【００５２】
図２２は、図１５で示されるセット１５００のシンボル１４０１〜１４０４を使用し、ＩＤ番号４４３及び１３を有する２つの音楽作品について１００分間、例えば、音楽を聴き、音楽を再生し、音楽をレンダリングする権利を表現する例示的権利表現を示す。例えば、図２２において、音楽ＩＤ番号は、次から次へと順次にリストされ、ＩＤ番号のリストの終わりは、「エンド・オブ・ＩＤ番号リスト」と呼ばれるグリフによって、例えば、フラグされ、表示される。例示的実施形態によれば、表現されるリストは拡張可能で、ディレクトリのように、層の中に多くの層を含むことができる。
【００５３】
図２３は、図１５で示されたセット１５００のシンボル１４０１〜１４０４を使用して、ＩＤ番号１４３を有するｅブック及びＩＤ番号２１２を有する所有者について、ｅブック・データ・レコードを表現する例示的権利表現を示す。例えば、図２３において、レコードの終わりは、「エンド・オブ・データ」と呼ばれるグリフによって、例えば、表示され、フラグされる。例示的実施形態によれば、表現されるレコードは、ブック、コンテンツ所有者などに関する追加情報、例えば、コンテンツ所有者へ支払いを送る方法を含むことができる。更に、表現されるレコードのサイズは任意適切なサイズであることができ、表現されるレコードは階層的であって、例えば自分自身のディレクトリを含むことができる。
【００５４】
図２４は、図１５で示されたセット１５００のシンボル１４０１〜４１０４を使用して、シンボルの同じセットを、異なった状況、コンテキスト、アプリケーション、企業では異なった意味で使用し、各々のアプリケーションまたは企業のために特別の意味で使用することができる例示的権利表現を示す。例えば、図２４において、グリフは、権利表現がどのようなアプリケーション、例えばｅブック、映画、ビデオに意図されているかを表現するために使用することができる。次のグリフは、所与のタイプのコンテンツに使用される単位、例えば、ｅブックの「ページ」、音楽及び映画の分、データのバイト、音楽のトラックを表現するために使用することができる。次のグリフは、単位の範囲、例えばｅブックのページの範囲を表現するために使用することができる。次の２つのグリフは、範囲の「開始」単位及び「終了」単位を表現するために使用することができる。例えば、５及び１０は、ｅブックの「ページ５とページ１０との間」の範囲を表現し、音楽ファイルの「５分と１０分との間」の範囲を表現する。例示的実施形態によれば、例えば、ｅブックまたはコンテンツ所有者の名前またはＩＤを表示するため任意適切な情報を付加し、権利割り当てまたは権利マネジメントに関連する情報を付加することができる。こうして、例示的実施形態のグリフは、例えば、柔軟な解釈を有し、複数の意味を有し、コンテキストまたはアプリケーションに依存することができる。
【００５５】
例示的実施形態において、例えば、図２〜図２４に関して説明したように、例示的実施形態のシンボル、シンボルのセットなどは、ＤＲＭシステム１００のデバイス及びサブシステムのハードディスク、光ディスク、磁気光学ディスク、ＲＡＭなどの１つまたは複数のメモリに記憶されることのできる情報に基づいて、権利表現または権利表現の一部分のような対応する情報に相関付け、関連付けることができる。ＤＲＭシステム１００のデバイス及びサブシステムの１つまたは複数のデータベースは、そのような情報を記憶することができる。データベースは、ここで列挙したメモリのような１つまたは複数のメモリに含まれるレコード、テーブル、アレイ、フィールド、グラフィック、ツリー、リストなどのデータ構造を使用して組織化されることができる。
【００５６】
例示的実施形態において、１つまたは複数のグリフを使用して、２次メッセージ、隠されたメッセージなどを搬送することができる。例えば、空港のセキュリティでは、そのようなグリフを乗客のチケットに埋め込むことができ、図書館のセキュリティでは、そのようなグリフを学生の図書館カードに埋め込むことができる。例示的な空港セキュリティの実施形態では、例えば、そのようなグリフを使用するチケットを提示する乗客、即ち、指名されたテロリストに応答して、無音の警報が出され、テロリストには分からないように、状況への対応が当局へ通知される。したがって、チケットを介してイニシエートされる様々なアクションを表現するために例示的実施形態を使用することができる。アクションの幾つかはチケットの保持者に明らかでなく、好適には、当局が所与の状況に対応及び／またはコントロールすることを容易にする。
【００５７】
例示的実施形態において、グリフは、例えば、ホログラフィ技術を使用して紙、コンピュータ・ディスプレイなどに３次元で表示されることができる。例示的実施形態において、グリフの複製または偽造が困難になるように、グリフを秘密にデザインすることができ、ウォーターマーク、認証、チェックサムなどのスキームを使用することによって、セキュリティ層を付加することができる。例示的実施形態において、ＤＲＭシステム１００のようなシステム、コンテンツの状態、履歴などは、グリフを使用してエンコードすることができる。
【００５８】
例示的実施形態では、スキャナ、ペン型スキャナ、バーコード読み取り機などの適切なデバイスを使用することによってグリフを機械で読み取ることができる限り、グリフを印刷する必要はなく、人間の目で認識できなくてもよい。更なる例示的実施形態において、グリフまたはシンボルは、機械で「見ることができる」形態である必要はない。例えば、例示的実施形態のグリフまたはシンボルは、「聞く」などの他の方法で検出されるように構成することができる。
【００５９】
例示的実施形態において、情報を伝達するために使用されるグリフ、シンボル、ワード、メッセージなどは、任意適切な周波数、振幅などの光、１つの音、一連の音、光パルスなどを使用してエンコードされることができ、紫外線波、Ｘ線、マイクロ波、電磁波などを含むことができ、レーザ、変調または畳み込まれた情報、異なった色または波長、電界または磁界変化などを使用することができる。使用される例示的実施形態の任意適切な一連のグリフ、シンボル、ワード、メッセージなどは、送信されるメッセージへ意味を提供する自分自身の文法、規則などを有することができる。例えば、人間の耳または目で検出できない周波数範囲の音または光は、セキュリティ・アプリケーション、プライバシー・アプリケーションなどで、例示的実施形態のグリフ、シンボル、ワード、メッセージなどを送信するために使用されることができる。このようにして、送信されるメッセージは、ユーザに対してトランスペアレントにされることができるが、同時に適切なセンサ、検出器などによって、例えば、リトリーブされ、理解されることができる。例示的実施形態において、グリフ、シンボル、ワード、メッセージなどは、感知された情報、メッセージなどを数値、ビット、バイトなどに基づいて量子化、デジタル化、表現することが可能である限り、任意適切な人間または機械の知覚器官またはデバイスなどを使用して表現されることができる。
【００６０】
例えば、プッシュホン電話などのデバイスを使用して、電話回線のような通信メディアを介して例示的実施形態のグリフ、シンボル、ワード、メッセージなどに対応する一連の音を送信することができる。シーケンス、持続時間、他の要因などを含む特定の音を使用して、例示的実施形態のグリフ、シンボル、ワード、メッセージなどによって表現されるシンボル表示を表すことができる。この例示的実施形態を使用すると、顧客をオンライン・トランザクションに従事させるアプリケーションが使用可能となる。そのようなアプリケーションは、トランザクションのベースが音である点を除いて、オンライン・トランザクションにインターネットを使用するアプリケーションと同じ効果を有する。
【００６１】
例示的実施形態によれば、権利表現情報は、様々な手法を使用して、一連の数字へ変形可能である。例えば、明確な正規の権利表現は、バイナリ・フォーマットへ変換可能である。例示的実施形態において、そのようなバイナリ・フォーマットは、例示的実施形態のグリフ、シンボル、ワード、メッセージなどに基づき１つの音、一連の音として表現可能である。
【００６２】
更なる例示的実施形態において、権利表現のテンプレート、プロフィールなどは、例示的実施形態のグリフ、シンボル、ワード、メッセージなどに基づき、１つの音、一連の音を使用して表現可能である。例えば、特定されたデバイスの上で、コンテンツ（例えば、特定された歌）を、特定された態様で使用する権利を付与するライセンスの形式をした例示的権利表現は、次のように表現することができる。
<license>
<grant>
<cm:device cmid="123"/>
<cx:play/>
<cm:song cmid="456"/>
</grant>
<cm:issuerDevice>
<cm:device cmid="024"/>
</cm:issuerDevice>
</license>
次に、例示的実施形態によれば、ライセンスの中の変数を除去した対応するテンプレート、プロフィールなどは、例えば、次のように生成することができる。
<license>
<grant>
<cm:device cmid=""/>
<cx:play/>
<cm:song cmid=""/>
</grant>
<cm:issuerDevice>
<cm:device cmid=""/>
</cm:issuerDevice>
</license>
こうして、そのような権利表現テンプレート、プロフィールなどは、好適には、例示的実施形態のグリフ、シンボル、ワード、メッセージなどに基づき１つの音、一連の音を使用して表現可能である。同様にして、更なる例示的実施形態によれば、紫外波、Ｘ線、マイクロ波、電磁波などを含む任意適切な周波数の光、一連の光パルスなどが、例示的実施形態のグリフ、シンボル、ワード、メッセージなどに基づき情報を表現するために使用可能である。
【００６３】
こうして、例示的実施形態は、グリフ、シンボル、ワード、メッセージなどに基づいて、権利表現のような情報を表現するために使用可能である。例えば、任意適切な権利表現は、前記のフォーマットへ変換可能であり、機械で処理することができる。好適には、例示的実施形態は、効率を増大させ、リソースを目標計算環境へ良好にマッチングさせ、例えば、使用されるデバイスへテクノロジをマッチングさせることができる。
【００６４】
例えば、例示的実施形態によれば、ユーザは、既に取得してユーザのパーソナル・コンピュータのハード・ドライブに存在する「ウィリアム・シェークスピア全集」のコピーを、パーソナル・コンピュータ画面上で表示したいと望む。例示的実施形態において、ユーザはインターネットを介してオンライン・トランザクションに従事することができる。例えば、対応するインターネット・サイトを訪問し、コンピュータ・キーボードを使用して作品へアクセスするリクエスト及びユーザが獲得したい権利を表す情報を提供し、トランザクションの支払いを行うクレジットカード番号を提供し、パーソナル・コンピュータ画面上で作品を表示することによって作品をレンダリングする権利をユーザに許可する作品関連デジタル・ライセンスを、インターネット・サイトからダウンロードすることができる。パーソナル・コンピュータで実行されているコンピュータ・プログラムは、ライセンスを解釈するために使用可能であり、解釈が成功すると、ユーザは作品のレンダリングを許される。
【００６５】
例示的実施形態によれば、上記の例は、一連の音を送信することによって達成可能である。この例示的実施形態において、インターネット・サイトは音のトーンを送信することができる。このトーンは、パーソナル・コンピュータ、携帯電話のような他のデバイスによって、作品をレンダリングする権利を付与するライセンスに対応するものとて解釈されることができる。プッシュホン・システムは、音のトーンを送信及び認識するように使用及び構成されることができる。例えば、セキュリティを目的として、複製が困難な他の微少な妨害音(fine nuisances)を通信デバイスを介して送信するように、他のデバイスを使用及び構成することができる。
【００６６】
例示的実施形態によれば、例えば、オンライン・ストアなどでのチェックアウトの間に、ｅブック、音楽ファイル、映画などのアイテムが支払われ、機能するようにアンロックされることができることを示すために、音信号、光信号などの形式のシンボルが送信され、使用されることができる。代替的に、そのような送信がないことは、アイテムが使用されることを妨げるために使用されてもよい。
【００６７】
例示的実施形態によれば、シンボルを表す前述のトーン、周波数、音または光のシーケンスなどは、１つのアクション、一連のアクションなどをイニシエートする信号としてブロードキャストされることができる。例えば、会社のようなデジタル・コンテンツの所有者は、建物中に音をブロードキャストすることができる。それによって建物の中のデバイスは、例えば、コンピュータ・システムが危険にさらされていることを判断するため、電子ファイルをロックダウンするトランザクションをイニシエートすることができる。この例において、パーソナル・コンピュータのようなデバイスは、オフラインにすることができるが、ブロードキャストされた信号を受け取ることのできる適切なデバイスを介して、ブロードキャストされた信号に応答することができる。例示的実施形態において、ブロードキャストされる信号表示はコマンドであることができる。このコマンドは、電子ファイル、デジタル作品またはコンテンツ、特定のデジタル作品またはコンテンツなどのレンダリングまたは転送をデバイスに許可する獲得済みライセンスを撤回または停止する。
【００６８】
例示的実施形態によれば、グリフ、シンボル、ワード、メッセージなどは印刷形式であるか可視形式であってよい。例えば、グリフが印刷されるペーパー・チケットのような場合である。更なる例示的実施形態によれば、チケット、グリフ、シンボル、ワード、メッセージなどは、電子的形式のようなデジタル形式であってよい。
【００６９】
例示的実施形態のグリフ、シンボル、ワード、メッセージなどに基づく権利表現のデジタル表示は、好適には、セキュリティを提供する。例えば、ハッカー、許可されていないコンピュータ・デバイスなどの無許可当事者が、例示的実施形態のグリフ、シンボル、ワード、メッセージなどの形式をした権利表現シンボル表示へのアクセスを獲得すれば、許可されていない当事者は、シンボル表示を解釈するタスクに直面する。対照的に、ＸＭＬ表現などのように人間が読み取ることのできる権利表現表示を使用するとき、許可されていない当事者は、権利表現の中に含まれた権利、条件、他の情報などを閲覧することができる。したがって、好適には、許可されていない人物は、通常、不正侵入の２回目の試行のように２回目の活動に着手して、例示的実施形態のグリフ、シンボル、ワード、メッセージなどに基づく権利表現シンボル表示で表された情報のロックを解く必要がある。
【００７０】
デジタル形式のシンボル表示に基づいた権利表現、例えば、例示的実施形態のグリフ、シンボル、ワード、メッセージなどに基づいた権利表現の場合、シンボル表示を使用するパーソナル・コンピュータ、スマートカードなどのリポジトリと、シンボル表示を読み取る読み取りデバイス、走査デバイスなどとの間に、信頼された通信セッションを確立することができる。このようにして、シンボル表示に含まれる情報は、シンボル表示が解釈されるとき保護を継続されることができる。しかし、シンボル表示のセキュリティの保全が重要でない場合、セキュリティを保全する方法の使用が重要でない場合、信頼されたセッションを省くことができる。
【００７１】
例示的実施形態のグリフ、シンボル、ワード、メッセージなどのシンボル表示は、暗号化などの他の種類のセキュリティ・メカニズムの代替となるか、それと組み合わせて働かせることができる。例えば、多色ホログラフィのような高度に複雑なシンボルを例示的実施形態で使用することができる。この例示的実施形態において、そのようなシンボルは、そのまま見ることができるが、そこで表される情報を十分複雑にすることができ、例えば、そのような情報を容易には識別することができず、シンボルを容易には偽造することができない。好適には、そのようなシンボル表示は、例えば、明白表示にするか、レンダリングされたとき明白表示にすることができ、そのような情報を暗号化する必要なしに、機密情報を具体的に表現することができる。
【００７２】
例示的実施形態において、グリフ、シンボル、ワード、メッセージなどのシンボル表示は、秘密にデザインすることができ、複製、偽造などは実行が困難であり、ウォーターマーク・スキーム、認証スキーム、チェックサム・スキームなどのセキュリティ追加層を使用することができる。こうして、例示的実施形態において、シンボル表示は、セキュリティの方法及びシステムで使用可能なセキュリティ態様を含むことができる。例えば、例示的実施形態のシンボル表示は、デジタル・コンテンツのようなアイテムへ埋め込むことができるか、共通に譲渡された特許文献１１、特許文献１４、特許文献１５、特許文献１７、特許文献１３などで開示された方法のような任意適切な方法を使用して、アイテムに関連付けることができる。
【００７３】
例示的実施形態において、シンボル表示は、セキュリティ・オブジェクトをエンコードするために使用可能である。セキュリティ・オブジェクトは、２次メッセージ、隠されたメッセージなどを搬送するために使用でき、人間が読み取れる形式で表示することができる。そのようなセキュリティ・オブジェクトは、航空券、乗車券などに印刷可能であり、航空券、乗車券などの磁気ストライプへ電子的形式で表示可能である。航空券の場合、例えば、そのようなセキュリティ・オブジェクトは、航空券を保持する乗客には分からないように当局へ通知するために使用することができる。
【００７４】
したがって、適切なシンボル表示に従って様々なアクションをイニシエートすることができる。幾つかのシンボル表示は乗客には不明であり、当局が所与の状況に対応及びコントロールすることを容易にする。人間が読み取れるセキュリティ・オブジェクトの場合、乗客はセキュリティ・オブジェクトを見ることはできるが、その意味を知らない。しかし、セキュリティ・オブジェクトが適切なデバイス、熟練した要員などによって読み取られるとき、セキュリティ・オブジェクトは、チケットの保持者が２次セキュリティ・チェックを受けるべきであることを示すメッセージ、チケットの保持者が未成年者であることを航空要員へ警告するメッセージ、チケットの保持者が特別の義務を有することを航空要員へ警告するメッセージなどの隠されたメッセージまたは２次メッセージを示すことができる。
【００７５】
例示的実施形態において、セキュリティ・オブジェクトは、ＩＤカード、スマートカード、リポジトリなどのアイテムの中に、人間が読み取れる形式でデジタル的に存在することができ、例えば、或る建物へ入る権利、及び、入るためには、所持者がジョン・スミスの名前で発行されたメリーランド州運転免許証番号１２３４５６７８９０を提示しなければならないという条件、を表現するために使用することができる。アイテムの中または表面にある情報は、許可されていない所持者に対しても、アイテムを使用して建物へのアクセスを獲得できることを明瞭に知らせるが、運転免許証の所持が必要であるという条件は隠しておくことができる。その条件は、例えば、セキュリティ要員が、それを詳細に示すセキュリティ・オブジェクトを読むまで隠される。したがって、許可された所持者は、例えば、建物へのアクセスを獲得するための十分な情報を可視形式で与えられるが、アイテムの許可されていない所持者を捕らえるため、セキュリティ・オブジェクトの形式で隠された情報を含めることができる。
【００７６】
例示的実施形態において、親は、例えば、子供の図書館カードにエンコードされたセキュリティ・オブジェクトを使用して、子供が「Ｇ」等級のビデオ、ブックのみを借用できることを図書館要員へ表示することができる。この例示的実施形態において、図書館要員は、子供が知らない間に、セキュリティ・シンボルによって搬送される隠されたメッセージを検出できる。
【００７７】
例示的実施形態は、セキュリティ・オブジェクトを保有するアイテムの所持者に、セキュリティ・オブジェクトの意味を知らせないこと、セキュリティ・オブジェクトの完全な意味を知らせないことなどが望まれる任意適切な状況へ応用することができる。例えば、会社は、そのようなセキュリティ・オブジェクトをエンコードされたＩＤバッジを訪問者へ発行することができ、建物Ａへのアクセスを獲得するためにのみバッジを使用できることを訪問者へ通知することができる。この例示的実施形態において、訪問者が、カード読み取り機のような適切なデバイスへバッジを提示することによって建物Ｂへのアクセスを獲得しようと試みたとき、建物Ｂへ入ることを拒否する警告を出すだけでなく、警報を鳴らすとか、人間が介入する場合には当該人物を留置するとかの、セキュリティ・オブジェクトによって規定された他のアクションを起こすようにセキュリティ・オブジェクトを使用することができる。
【００７８】
例示的実施形態において、セキュリティ要員がアイテムを検査する必要がある場合のように人間を介入させることができ、自動セキュリティ・システムの場合のように人間の介入が必要でないこともある。更に、制限された方式、例えば、特定された日の特定された時間に建物Ａへ入るように、グリフで表された権利をバッジにエンコードすることができる。好適には、ここで説明された例示的実施形態は、例えば、デジタル作品またはコンテンツのレンダリングを許すために使用することができ、ドアを開けて建物へアクセスすることを許すために使用することができる。
【００７９】
例示的実施形態において、使用権の行使条件、例えば、アクセスされ、使用され、獲得されるビデオ・ファイルまたは音楽ファイルのようなリソースが変更または改ざんされていないことの決定を、例示的実施形態のグリフ、シンボル、ワード、メッセージなどを使用して特定することができる。そのような条件は、１つはまたは複数の他の条件及び使用権と一緒に使用可能である。例えば、レンダリングが２００３年７月４日よりも前に実行されること、レンダリングが要求される場合に、ビデオ・ファイルが変更されていないことを、特定された方法が判断することを条件として、無制限の回数でビデオ・ファイルをレンダリングし、再生できることを特定するため、使用権を使用することができる。ファイルが変更されていないことを判断できなければ、レンダリングを拒否することができ、他の手順が続く。例えば、ＤＲＭシステム１００がファイルをロックダウンし、適切な当局へのレポートを生成し、疑われる変更を調査できるようにプログラムされる。
【００８０】
例示的実施形態において、ＤＲＭシステム１００は使用権の表現を利用するように構成可能である。使用権の表現は、例えば、サービスへのアクセスを獲得したり、コンピュータ・サイトへのアクセスを獲得したり、デジタル作品またはコンテンツへのアクセスを獲得したり、デジタル作品またはコンテンツをレンダリングするような権利を行使する条件を含む。そのような条件は、例えば、問題のデジタル・コンテンツが改ざんされておらず、変更されていないこと、及び使用権のシンボル表示が改ざんされておらず、変更されていないことを判断することを含む。したがって、デジタル・コンテンツ及びシンボル表示の双方が変更されていないことを、ＤＲＭシステム１００が判断できなければ、その使用権の行使を拒否することができる。好適には、この例示的実施形態は、二面の保護層を提供する。なぜなら、許可されていないアクセスを獲得すること、言い換えれば取得する資格の無い物の取得を試みている人物は、２つのハードルを通過しなければならないからである。例えば、そのような無許可当事者は、２つの事を改ざんまたは改変しようと試みなければならないからである。
【００８１】
例示的実施形態において、ビデオ・ファイルを閲覧する権利のような使用権を行使したいと望む者は、そのような使用権を表すグリフを含むアイテムを提示することができる。グリフは、電子的形式、印刷形式、ハードコピー形式であることができる。この例示的実施形態において、クライアント・コンポーネント１２２のようなＤＲＭアプリケーションは、使用権の行使の条件が満足されることを保証するように構成されることに加えて、使用権の行使を付与するためグリフ及び／またはビデオ・ファイルが変更されていないことを判断するように構成されることができる。もしグリフ及び／またはビデオ・ファイルが変更されたことをＤＲＭアプリケーションが判断するならば、ＤＲＭアプリケーションは、使用権の行使を防止するように構成されることができる。しかし、グリフ及びビデオ・ファイルが変更されなかったことをＤＲＭアプリケーションが決定すれば、ＤＲＭアプリケーションは、例えば、ＤＲＭアプリケーションによって使用された他のプロセスの成功した完了に従って、使用権の行使を許すように構成されることができる。
【００８２】
例示的実施形態において、変更されていないことの判断は、使用権の行使が許される前に採用されることができ、したがって、そのようなテストに失敗すれば、使用権の側の誤りは行使されない。しかし、このアプローチは変えることができる。その場合、変更されていないことの判断は行われず、使用権の行使を許す側は誤りとなる。
【００８３】
しかし、更なる例示的実施形態において、混成アプローチが可能となる。例えば、変更されていないことの判断は、要求された完全な使用権を行使するために使用されることができるが、そのような判断が失敗すれば、或る使用権は行使できるが、他の使用権は行使できない。したがって、行使できる使用権は、完全な使用権のサブセットとして構成されることができるが、必ずしもその必要はない。例えば、ＤＲＭシステム１００は、コンピュータ画面上でファイルを表示することによってレンダリングを許すように構成されることができるが、ファイルが複写され、移動され、貸し出され、転送されることを許すようには構成されない。更なる例として、ＤＲＭシステム１００は、サーバ、リポジトリ、デバイスなどの許可機関へ誤りレポートを生成するように構成されることができる。その場合、レポートは、自動的または人間の介入に基づいてレビューされることができる。レポートは、ＤＲＭシステム１００によって行われた判断、及びそのような判断の結果を詳細に説明するように構成されることができる。次に、ＤＲＭシステム１００は、許可機関によって許可されるならば、使用権の行使を許すことができる。
【００８４】
例示的実施形態は、好適には、警察犯罪場面の写真などのアイテムが変更されなかったことを保証するために使用可能である。この例示的実施形態において、デジタル写真に依存する場合、写真が変更されていないことを保証することが重要である。しかし、更に重要なことは、もし写真が変更されていれば、そのような変更の検出が保証されることである。より複雑にシンボルが使用されるならば、検出できないようにシンボルまたはデジタル・コンテンツに変更を加えることは困難になる。したがって、例示的実施形態のシンボル表示で使用される複雑性のレベルは、望まれるセキュリティのレベルに依存する。例示的実施形態は、当業者によって理解されるように、写真、ビデオ・ファイル以外の対象物に使用されることができ、また証拠の発見以外の場合に使用されることができる。
【００８５】
写真、ビデオ・ファイルなどのアイテムが改ざんされたかどうかを検出する任意適切な方法を、例示的実施形態で使用することができる。例えば、２００２年５月１７日に出願された「データ圧縮パラメータに基づくデータの完全性を検証する方法及びシステム」と題するＴａｄａｙｏｎらの、共通に譲渡された同時係属の米国特許出願１０／１４７、３０７号で説明される検証方法を使用することができる。この文献の全体の開示は、参照してここに組み込まれる。そのような検証方法は、例えば、データの圧縮または他の処理から生じるか、使用される様々なパラメータの１つまたは複数を決定し、伝送、処理、及び／または或る時間の後、そのパラメータの値または特性とオリジナルの値または特性とを比較することを含むことができる。任意の圧縮スキームまたは他の処理を使用することができる。更に、様々な論理プロセスを介して様々な方法でパラメータの組み合わせを使用及び処理することができる。
【００８６】
例示的実施形態において、グリフ、シンボル、ワード、メッセージなどのバックグラウンド・シンボル及びフォアグラウンド・シンボルは、意味、メッセージなどを表現するように構成することができる。例えば、バックグラウンド・シンボルの意味は、バックグラウンド・シンボルが存在するとき、フォアグラウンド・シンボルを解釈できることであってよい。しかし、バックグラウンド・シンボル及びフォアグラウンド・シンボルの双方が、意味を表現するように構成することができる。例えば、ＤＲＭシステム１００は、第２のシンボルが或る方式、例えば、第１のシンボルと同じサブストレートに印刷されているか、第１のシンボルに対して或る物理的ロケーションに印刷されていれば、第１のシンボルを解釈するように構成することができる。
【００８７】
更に、各々のシンボルは、伝達されている情報の一部分を表現するように構成することができる。例えば、伝達されている情報は複数のシンボルの上に分散することができ、伝達されている情報は冗長様式で複数のシンボルの上に分散することができる。更に、シンボルの全てをデジタル形式で構成することができ、複数のシンボルの１つをデジタル形式で構成し、他のシンボルをそうでないように構成することができる。例えば、ペーパー・チケットは印刷されたシンボルを含むことができ、このシンボルは、適切な読み取り機、機械などによって読み取られたとき、使用権を表示するように検出されることができる。しかし、使用権を行使するため満足させなければならない条件は、例えば、スマートカード、ハンドヘルド・デバイスなどのリポジトリに含まれたデジタル・シンボルを読み取り機、機械などへ提示すること、または追加の印刷されたシンボルを提示することなどであることができる。
【００８８】
例示的実施形態において、グリフ、シンボル、ワード、メッセージなどのシンボルは、情報をほとんど伝達しないか、全く伝達せず、その代わりに情報をどのようにして取得するかの情報を伝達するように構成可能である。この例示的実施形態において、例えば、シンボルは他のシステム、デバイス、ファイルなどへのポインタとして構成可能である。この例示的実施形態は、セキュリティが望まれる場合に有用である。なぜなら、許可されていない当事者、デバイスなどは、情報を取得するため複数のシステムへ不法侵入、改変などを行わなければならないからである。例えば、許可されていない当事者は、シンボルへ不法侵入を行って、許可されていないアクセスを取得するためには第２のシステムに障害を加えなければならないことを決定しなければならない。それから、許可されない当事者は、第２のシステムへ不法侵入を行わなければならない。
【００８９】
したがって、この例示的実施形態において、シンボルは、情報が取得されたり、トランザクションが起こるシステム、デバイス、場所などへのポインタとして構成されることができる。例示的実施形態において、例えば、システム、デバイス、リソース、ファイル、文書、音楽ファイル、ビデオ・ファイル、映画、ｅブック、ソフトウェアなどのユニフォーム・リソース・ロケータ（ＵＲＬ）情報を伝達するように、１つまたは複数のシンボルを構成することができる。したがって、適切な読み取り機、機械などがシンボルを読み取るとき、シンボルはＵＲＬを表示するものとして解釈され、適切なアクションが取られる。そのようなアクションは、例えば、音楽ファイル、ビデオ・ファイルへのアクセスを獲得するためのＵＲＬへＷｅｂブラウザを導くアクションである。
【００９０】
本発明は、例えば、インターネット、電話回線、モデムなどを介してサーバ、リポジトリ、デバイスなどと通信リンクを確立することが実際的でないか不可能である場合を認識する。この例示的実施形態において、ユーザは、オンライン・トランザクションをイニシエートすることによって、デジタル・コンテンツ、サービスなどのアイテムへアクセスすることを試みることができる。オンライン・トランザクションの結果として、ユーザは、要求したアイテムへのアクセスを獲得することができる。しかし、通信能力が制限される場合があるかも知れない。例えば、ユーザは、メールを介して映画ファイルを含むディスクを受け取ったかも知れず、ユーザはクライアント環境１２０におけるように、パーソナル・コンピュータのハード・ドライブ上に映画ファイルなどを有するかも知れない。
【００９１】
上記の場合、映画スタジオ、ビデオ・ストアなどの映画ファイルの所有者は、ユーザに、オンライン・トランザクションをイニシエートさせ、クレジットカード番号を送信させて映画のアクセス料金を支払わせ、パーソナル・コンピュータの画面上で映画ファイルを閲覧させて映画のレンダリングを許すライセンスを受け取らせることができる。しかし、ユーザがオンライン・セッションをイニシエートするのは実際的ではないかも知れない。例えば、ユーザはオンライン・セッションのイニシエートを望まないかも知れず、ユーザはオンライン・セッションをイニシエートできないかも知れない。したがって、例示的実施形態によれば、ユーザはチケットを使用することができる。このチケットは、例えば、パーソナル・コンピュータの画面で映画ファイルを閲覧することによって映画をレンダリングする権利をユーザに付与するライセンスを含み、パーソナル・コンピュータによって読み取られることができる。
【００９２】
例示的実施形態において、チケットは、グリフ、シンボル、ワード、メッセージなどのシンボル形式であることができる。望まれるセキュリティ・レベルに依存して、シンボルは偽造を防止するため複雑にすることができる。更に、チケットの各々の使用は、チケット自身、ユーザのパーソナル・コンピュータなどの他のリポジトリで、レコードの中に記録されることができる。そのようなレコードは、チケットが使用された回数を示すように構成されることができ、チケットは１回または複数回使用されるように構成されることができる。例えば、ユーザは、映画スタジオ、映画ストアなどによって頒布された１０個の映画を閲覧する権利を獲得したかも知れない。この情報は、ユーザのパーソナル・コンピュータに記録されることができる。次に、映画スタジオからのチケットによって許可された映画ファイルをレンダリングした後、ユーザが資格を残している閲覧回数が１だけ低減される。この例示的実施形態において、チケットは、チケットに関する情報を記録する必要はなく、対応する映画ファイルの使用を許可する情報を記録する。
【００９３】
しかし、更なる例示的実施形態において、チケットは、チケットの使用に関する情報を記録するために使用可能である。例えば、映画ファイルのレンダリングを許可するチケットの各々の使用は、許可される使用の数を１だけ低減させてチケットの上に反映させ、ユーザのパーソナル・コンピュータ、他のリポジトリ・デバイスなどのレンダリング・リポジトリは、使用に関する情報を記録する必要はない。例示的実施形態において、チケットはデジタル形式であることができ、使用の情報はチケットの上に記録される。しかし、更なる例示的実施形態によれば、そのような使用の情報は、例えば、チケットの上に印刷されることができる。更に、許可された使用回数が満了すると、チケットを使用できないようにするため、例えば、チケットを改変し、情報をチケットの上に記録することができる。そのような改変は、チケットを読み取るデバイスによる機械手段を介して実行されるか、キオスクの店員など人間の介入によって実行されることができる。
【００９４】
例示的実施形態において、２つのチケットを使用することができる。その場合、１つのチケットはデジタル形式で、使用に関する情報を記録し、他のチケットはデジタル形式か印刷されたハードコピー形式で、アクセスが望まれるアイテムに関する情報を提供する。例えば、映画スタジオはハードコピー印刷チケットを頒布することができる。このチケットは、１つまたは複数のグリフを使用して、映画ファイルに関連付けられた使用権、使用の態様、条件などに関する権利表現情報を表現する。印刷されたチケットは、デジタル・チケットと一緒に、適切なデバイスへ提示されることができる。次に、デバイスは、グリフに基づいてチケットの１つまたは双方の上で提供される権利表現情報を読み取り、適用可能な条件に従ってパーソナル・コンピュータの画面で映画ファイルを閲覧することによって映画をレンダリングするような使用権の行使を許すトランザクションを処理し、チケットの１つまたは双方、レンダリング・デバイス、他のデバイスなどに使用情報を記録するように構成されることができる。
【００９５】
例示的実施形態において、グリフ、シンボル、ワード、メッセージなどのシンボルは、リソースが制約されたシステムまたは環境、例えば、小さな占拠面積を有するデバイス、ハンドヘルド・デバイス、制限された処理リソースを有するシステムで権利表現情報を表現するために使用されることができる。
【００９６】
前述したように、例示的実施形態において、表現される権利表現情報を表示する適切なシンボル、シンボルのグループ、音、音のグループ、光パルス、光パルスのグループなどへ権利表現を変形することができる。例えば、所定のトーン、トーンのセットなどを使用して、バイナリ・フォーマットでエンコードされた明確な正規の権利表現を表示することができる。例えば、バイナリ・フォーマットでエンコードされた例示的な明確正規権利表現は、次のようになる。
【００９７】
01 03 04 202103123 05 22 06 232103456 09 24 00 202103024
ここで、
01           <license>
03           <grant>
04           principal [Processing instruction]
202103123    <cm:device cmid="123"/>
05           right [Processing instruction]
22           <cx:play>
06           resource [Processing instruction]
232103456    <cm:song cmid="456"/>
09           issuer [Processing instruction]
24           <cm:issuerDevice>
00           next level
202103024    <cm:device cmid="024"/>
例示的実施形態によれば、アイテムの使用の態様は、グリフ、シンボル、ワード、メッセージなどのシンボルで特定することができる。更に、グリフは、音、色、画像、パルス、光などの信号に関して表現されることができる。その場合、対応する信号の振幅、周波数、及び幅は、表現されたメッセージを修正するように修正されることができる。更に、権利、条件などに関する情報は、ホログラフィ・グリフ画像などを介して、３次元（３Ｄ）情報として表現されることができる。
【００９８】
例示的実施形態によれば、グリフ、シンボル、ワード、メッセージなどのシンボルは、例えば、コンピュータのモニタ上で情報の表示を防止するため、期限切れ日付のような権利表現情報を伝達するように構成可能である。この例示的実施形態において、権利表現情報を伝達するグリフは、コンピュータのモニタ上に表示されることができ、適切な検出器、ハンドヘルド・スキャナなどによって走査され、読み取られることができる。例えば、そのような権利表現情報は、オークションＷｅｂサイト、インターネットの店頭で使用されるように構成可能である。
【００９９】
例示的実施形態によれば、音、光、光と音との組み合わせなどが、権利表現情報を伝送するために使用可能である。例えば、虹彩スキャン、スマートカード、音声認識、生体認証、ユーザの衣服上のデバイスなどを使用して、建物の中のユーザの動きを監視することができ、室内におけるユーザの存在を監視、検出することができる。こうして、ペンタゴン・ライブラリのような部屋、最高機密ファイルのような部屋内のアイテムなどへ割り当てられたセキュリティ・レベルに従って、対応する情報、データ、サービスなどへのアクセスを獲得するユーザの特権は、室内へ送信された権利表現情報で特定された使用権、条件、制約などに基づかせることができる。
【０１００】
例示的実施形態によれば、セキュリティ目的のために、例えば、セミランダム雑音、ランダム雑音、ステガノグラフィなどで暗号化された信号、スクランブル信号などを含むバックグラウンド信号を、権利表現情報を伝達するために使用できるグリフ、シンボル、ワード、メッセージなどのシンボルへ付加することができる。この例示的実施形態において、権利表現情報を伝達するシンボルの適切なスキャナが、バックグラウンド信号の全部または一部分を無視できることを示すため、フラグ、インディケータなどを使用することができる。
【０１０１】
例示的実施形態における権利表現のシンボル表示は、例えば、機械によって走査または読み取られるデジタル・チケットの中で使用可能である。シンボル表示は、特定のグループ、会社、または企業の必要に適合させることができる。その場合、スキャナまたは読み取り機も、特定の目的または作業に専門化及び適合化させることができる。バーコードが、限定された特徴空間を有する様々な企業のために設計され、決定的で明確かつ迅速な解釈を提供するように、権利表現のシンボル表示は、情報の量を圧縮し、情報を理解するために必要なハードウェア及び／またはソフトウェアの量を縮小し、コンテンツのエンドユーザに便宜を与えるようにプロセスをスピードアップし、同時に、誤り率を比較的低くし精度を比較的高くするために使用することができる。
【０１０２】
バーコードまたはシンボルの読み取り機、パターン認識エンジン、スキャナなどは、例示的実施形態を実施するため、ハードウェア及び／またはソフトウェアを少しだけ修正するか、または全く修正を加えないで好適に使用することができる。パターン認識エンジンは、ニューラル・ネットワーク、ファジー論理手法などを含むことができる。したがって、現存する技術を、読み取り機及び認識エンジン機能に使用することができる。これは、例示的実施形態を実施するときのセットアップ・コストを低減する。好適には、読み取り機またはパターン認識プロセッサを使用して、権利情報を表現するシンボルを処理し、シンボル・パターンを読み取って権利表現情報を抽出する結果として、コンテンツのエンドユーザのために、解釈プロセスのスピードと信頼性が高くなる。
【０１０３】
更に、権利表現情報は、平文の英語テキスト、人間が読み取れる言語または他の任意適切な形式、例えば、音声または音として出力可能である。したがって、コンテンツのエンドユーザは、権利表現情報に関連した規則及び／または言語を知っている必要はない。このことは、エンドユーザの学習時間を大幅に縮小し、エンドユーザの作業費用を顕著に縮小する。
【０１０４】
例示的実施形態のシンボル表示は、適切な読み取り機などによってスキャンできるように、１枚の紙のような物理的サブストレートに印刷できるか、コンピュータのモニタ上で表示することができる。権利表現情報を表現するためには、平行線、異なった幅、角度、比、視野、または距離を有するバーコード、交差した線、同心円、幾何学的形状、異なったグリフ及び形状を表示し、容易かつ迅速に認識される異なった色、異なった波長を有する可視または不可視光源、モールス符号、異なった持続時間を有するレーザパルス、日本語の文字、英字、１次元画像、２次元画像の形式をしたシンボル、特定の角度関係を有するシンボル、シンボルのセット、異なったタイプの文法または規則を規定するように特定の空間関係を有するシンボルのセット、回転不変シンボル、空間不変シンボル、或る情報を秘密に保持するため複数の意味、隠された意味、または人間が読み取れない意味、または特殊機械によって読み取られる意味を有するシンボル、ウォーターマーク、暗号でエンコードされたシンボル、人間が読み取れるメッセージを伴ったシンボル、機械のみによって読み取られるシンボル、及びこれらの組み合わせを使用することができる。
【０１０５】
更に、シンボルの順序、またはシンボル相互間のシンボルの配置に基づいて、異なった権利表現情報またはメッセージを伝達することができる。例えば、シンボルの特別のシーケンスは、企業に関する情報または権利表現情報の目的のような特別な状況またはコンテキストを伝達することができる。シンボル表示は、電子的形式のようにデジタル形式であるか、印刷形式、可視形式であることができる。シンボルは、或る種の電子メディア、例えば、コンピュータのハード・ドライブ、サーバ、フロッピー（登録商標）・ディスク、スマートカード・デバイスなどに記憶することができる。シンボル表示は、テンプレート、グラフィカル・ユーザ・インタフェース（ＧＵＩ）などを使用して生成することができ、好適には、コンテンツのエンドユーザまたはコンテンツの提供者が、権利表現言語及び／または文法の完全な知識を有することを必要としない。
【０１０６】
更なる例示的実施形態において、シンボルの標準化を奨励するため、シンボルの生成に使用されるレシピ、アルゴリズム、式などはパブリック・ドメインに存在するか、標準機関によって支配されてよい。標準機関は、シンボルの形成パラメータまたは生成方法を設定することができる。しかし、他の実施形態では、シンボルの生成に使用されるレシピ、アルゴリズム、式などは、例えば、許可されないユーザが偽造のシンボル及び／またはデジタル・チケットを生成しないようにするため、公衆から秘密に保つことができる。更なる例示的実施形態において、もしシンボルの形状または配置におけるパラメータが、設定された標準に従っていなければ、シンボルの読み取り機は、そのチケットを無効として拒絶するように構成されることができる。
【０１０７】
例示的実施形態において、シンボルから抽出された権利表現情報は、所定のアクションを実行するようにスキャナまたは読み取り機に命令することができる。例えば、デジタル・チケットは、ユーザがレポートの４つのコピーを印刷する権利を有することを示す権利表現に対応するシンボルを含むことができる。この例示的実施形態において、ユーザが最初のコピーを取得すると、シンボルはデジタル・チケットの上に他のシンボルを印刷し、新しいチケットを印刷し、チケットを変更するように読み取り機へ命令して、ユーザが、現在、３つの更なるコピーを印刷する権利を有することを表示する。
【０１０８】
例示的実施形態において、シンボル自身は自分自身の文法を有することができる。その文法は、例えば、隣接シンボルまたは他の特定のシンボルへの所定の近接性に関して新しい意味または追加情報を表現するために使用されるシンボル自身への内部関係である。例えば、もし所与のシンボルが他のシンボルから丁度２つのシンボルまたはその範囲内で離れていれば、そのような位置関係は、シンボルのそのシーケンスから結論できる更なる情報を表現することができる。言い換えれば、そのような文法は、相互のシンボルまたはマーカに関するシンボルのコンテキストまたは近接性に基づくことができる。
【０１０９】
図２５及び図２６は、使用権の変調された信号またはグラフィック表示に基づいて、コンテンツまたは他のアイテムの使用権を表現する例示的実施形態の動作を示す例示的フローチャートである。例えば、図２５は権利表現情報のグラフィック表示を示す例示的フローチャートであり、図２６は権利表現情報の変調された信号ベースの表示を示す例示的フローチャートである。
【０１１０】
したがって、図２５のステップ２５０１では、権利表現情報を特定することができる。次に、ステップ２５０３では、例えば、例示的実施形態のグリフ、シンボル、ワード、メッセージなどを使用して、権利表現情報のグラフィック表示を生成することができる。例示的実施形態によれば、例えば、図１のＤＲＭシステム１００のコンピュータ１３０は、図２５の権利表現情報のグラフィック表示のためにプロセスを実行するように構成可能である。しかし、そのような処理を実行するため、ＤＲＭシステム１００の１つまたは複数のデバイス及びサブシステムのような任意適切なデバイス、システムを構成することができる。
【０１１１】
同様に、図２６のステップ２６０１では、例えば、権利表現情報を特定することができる。次に、ステップ２６０３では、例えば、例示的実施形態のグリフ、シンボル、ワード、メッセージなどを使用して、権利表現情報の変調された信号ベースの表示を生成することができる。例示的実施形態によれば、例えば、図１のＤＲＭシステム１００のコンピュータ１３０は、図２６の権利表現情報の変調された信号ベースの表示のためにプロセスを実行するように構成可能である。しかし、そのような処理を実行するため、ＤＲＭシステム１００の１つまたは複数のデバイス及びサブシステムのような任意適切なデバイス、システムなどを構成することができる。
【０１１２】
例えば、図１〜図２６に関して説明したＤＲＭシステム１００は、ここで説明した様々なプロセスに関する情報を記憶するように使用することができる。この情報は、ＤＲＭシステム１００のデバイス及びサブシステムのハード・ディスク、光ディスク、磁気光学ディスク、ＲＡＭのような１つまたは複数のメモリに記憶することができる。ＤＲＭシステム１００のデバイス及びサブシステムの１つまたは複数のデータベースは、例示的実施形態を実現するために使用される情報を記憶することができる。データベースはデータ構造を使用して組織化されることができる。データ構造は、例えばレコード、テーブル、アレイ、フィールド、グラフィック、ツリー、リストなどであり、前述したメモリのような１つまたは複数のメモリに含まれる。
【０１１３】
図１〜図２６に関して説明したＤＲＭシステム１００の全部または一部分は、開示された例示的実施形態の教示に従ってプログラムされた１つまたは複数の汎用コンピュータ・システム、マイクロプロセッサ、デジタル・シグナル・プロセッサ、マイクロコントローラなどを使用して便利に実現することができる。通常のスキルを有するプログラマは、開示された例示的実施形態の教示に基づいて適切なソフトウェアを容易に準備することができる。更に、特定用途集積回路を準備することによって、またはコンポーネント回路の適切なネットワークを接続することによって、ＤＲＭシステム１００を実現することができる。
【０１１４】
好適には、ここで説明された例示的実施形態は、オフライン・システム、オンライン・システムなどで使用することができ、ＴＶアプリケーション、コンピュータ・アプリケーション、ＤＶＤアプリケーション、ＶＣＲアプリケーション、器具アプリケーション、ＣＤプレーヤ・アプリケーションなどで使用可能である。更に、例示的実施形態のグリフ、シンボル、ワード、メッセージなどを送信するために使用される信号は、人間の可視スペクトル内、人間の可聴スペクトル内、人間の可視スペクトル外、人間の可聴スペクトル外、及びこれらの組み合わせで送信されるように構成可能である。
【０１１５】
本発明は多数の実施形態及び実現形態との関連で説明されたが、本発明はそのような形態に限定されず、添付のクレイムの範囲に入る様々な修正及び同等アレンジをカバーする。
【図面の簡単な説明】
【０１１６】
【図１】本発明の様々な実施形態を実現することができる例示的なデジタル権利管理システムの略図である。
【図２】円から導かれる８つのシンボルから成るセットであって、権利表現を表現するために使用できるセットを示す図である。
【図３】長方形から導かれる４つのシンボルから成るセットであって、権利表現を表現するために使用できるセットを示す図である。
【図４】円形構造から導かれる８つのシンボルから成るセットであって、権利表現を表現するために使用できるセットを示す図である。
【図５】円形構造から導かれる８つのシンボルから成るセットであって、権利表現を表現するために使用できるセットを示す図である。
【図６】円形構造から導かれる８つのシンボルから成るセットであって、権利表現を表現するために使用できるセットを示す図である。
【図７】正方形構造の４つの辺及び２つの対角線から導かれる８つのシンボルから成るセットであって、権利表現を表現するために使用できるセットを示す図である。
【図８】正方形構造の４つの辺及び２つの対角線から導かれる８つのシンボルから成るセットであって、権利表現を表現するために使用できるセットを示す図である。
【図９】正方形構造の２つの辺及び２つの対角線から導かれる４つのシンボルから成るセットであって、権利表現を表現するために使用できるセットを示す図である。
【図１０】正方形構造の４つのコーナーから導かれる４つのシンボルから成るセットであって、権利表現を表現するために使用できるセットを示す図である。
【図１１】正方形構造の４つの辺及び２つの対角線から導かれる８つのシンボルから成るセットであって、権利表現を表現するために使用できるセットを示す図である。
【図１２】円形構造から導かれる８つのシンボルから成るセットであって、権利表現を表現するために使用できるセットを示す図である。
【図１３】１つの正方形及び０、９０、１８０、２７０度に回転し４つの異なった方向を有する三角形の５つのシンボルから成るセットであって、権利表現を表現するために使用できるセットを示す図である。
【図１４】円形構造から導かれる４つのシンボルから成るセットであって、権利表現を表現するために使用できるセットを示す図である。
【図１５】星形構造から導かれ、３つの異なった色、即ち、赤（Ｒ）、緑（Ｇ）、青（Ｂ）を有する１２のシンボルから成るセットであって、権利表現を表現するために使用できるセットを示す図である。
【図１６】図１５で示されたシンボルを組み合わせた例示的実施形態を示す図である。
【図１７】左から右へ読める例示的メッセージであって、図１０で示されたセットの４つのシンボルを使用して権利表現を表現するメッセージを示す図である。
【図１８】図１５で示されたセットのシンボルを使用してｅブックへアクセスする期限切れ日付を示す例示的権利表現を示す図である。
【図１９】図１５で示されたセットのシンボルを使用してアクションを実行する例示的権利表現を示す図である。
【図２０】図１５で示されたセットのシンボルを使用してアクションを実行する例示的権利表現を示す図である。
【図２１】図１５で示されたセットのシンボルを使用して識別番号４４３及び１２を有する２つのｅブックを１００コピー印刷する権利の例示的権利表現を示す図である。
【図２２】図１５で示されたセットのシンボルを使用して識別番号４４３及び１３を有する２つの音楽作品を１００分間聴く権利、例えば、音楽を再生またはレンダリングする権利の例示的権利表現を示す図である。
【図２３】図１５で示されたセットのシンボルを使用して、ｅブックの識別番号が１４３で、ｅブックの所有者の識別番号が２１２であるｅブック・データ・レコードの例示的権利表現を示す図である。
【図２４】図１５で示されるセットのシンボルを使用した例示的権利表現を示し、シンボルの同じセットが、異なった状況、コンテキスト、アプリケーション、または企業で異なった意味を有することができ、各々のアプリケーションまたは企業のために特別に適合化されることを示す図である。
【図２５】使用権の変調された信号またはグラフィック表示に基づいてコンテンツまたは他のアイテムの使用権を表現する例示的実施形態の動作を示す例示的フローチャートである。
【図２６】使用権の変調された信号またはグラフィック表示に基づいてコンテンツまたは他のアイテムの使用権を表現する例示的実施形態の動作を示す例示的フローチャートである。
【図１】
2005532610.tif 000003
【図２】
2005532610.tif 000004
【図３】
2005532610.tif 000005
【図４】
2005532610.tif 000006
【図５】
2005532610.tif 000007
【図６】
2005532610.tif 000008
【図７】
2005532610.tif 000009
【図８】
2005532610.tif 000010
【図９】
2005532610.tif 000011
【図１０】
2005532610.tif 000012
【図１１】
2005532610.tif 000013
【図１２】
2005532610.tif 000014
【図１３】
2005532610.tif 000015
【図１４】
2005532610.tif 000016
【図１５】
2005532610.tif 000017
【図１６】
2005532610.tif 000018
【図１７】
2005532610.tif 000019
【図１８】
2005532610.tif 000020
【図１９】
2005532610.tif 000021
【図２０】
2005532610.tif 000022
【図２１】
2005532610.tif 000023
【図２２】
2005532610.tif 000024
【図２３】
2005532610.tif 000025
【図２４】
2005532610.tif 000026
【図２５】
2005532610.tif 000027
【図２６】
2005532610.tif 000028
【手続補正書】
【提出日】平成16年11月16日(2004.11.16)
【手続補正１】
【補正対象書類名】特許請求の範囲
【補正対象項目名】全文
【補正方法】変更
【補正の内容】
【特許請求の範囲】
【請求項１】
権利表現に従ってアイテムの使用をコントロールするシステムで使用するアイテムに関連付けて権利表現を生成する方法であって、
アイテムの使用の態様を示す権利表現情報を特定し、
変調された信号ベースの前記権利表現情報の表示を生成する、
ことを含み、
前記変調された信号ベースの表示は、前記権利表現情報に基づいて前記権利表現の行使を許可するために、前記アイテムの使用をコントロールするシステムのインタプリタによって解釈されるように構成されている、
方法。
【請求項２】
前記変調された信号ベースの表示が、変調された光信号を含む、請求項１に記載の方法。
【請求項３】
前記変調された信号ベースの表示が、変調された音信号を含む、請求項１に記載の方法。
【請求項４】
前記変調された信号ベースの表示が、変調された紫外線波信号を含む、請求項１に記載の方法。
【請求項５】
前記変調された信号ベースの表示が、変調されたＸ線信号を含む、請求項１に記載の方法。
【請求項６】
前記変調された信号ベースの表示が、変調されたマイクロ波信号を含む、請求項１に記載の方法。
【請求項７】
前記変調された信号ベースの表示が、変調された電磁波信号を含む、請求項１に記載の方法。
【請求項８】
デバイスに前記権利表現情報を行使させるために、前記変調された信号を送信することをさらに含む、請求項１に記載の方法。
【請求項９】
前記変調された信号ベースの表示が、変調されたパルスを含む、請求項１に記載の方法。
【請求項１０】
前記権利表現情報の複数の解釈へ対応するために、前記変調されたパルスの特性を変化することをさらに含む、請求項９に記載の方法。
【請求項１１】
前記変調された信号ベースの表示が、変調された音のトーンを含む、請求項３に記載の方法。
【請求項１２】
前記権利表現情報の複数の解釈に対応するために、前記変調された音のトーンの特性を変化することをさらに含む、請求項１１に記載の方法。
【請求項１３】
コンピューティング・デバイスに前記権利表現情報を行使させるために、電話装置を介して、前記変調された音信号を該コンピューティング・デバイスへ送信することをさらに含む、請求項３に記載の方法。
【請求項１４】
前記権利表現情報が、デジタル・コンテンツ、サービス、抽象物、リソース、及び物品の少なくとも１つの使用の態様を行使するために満足させなければならない条件を含む、請求項１に記載の方法。
【請求項１５】
第２の変調された信号が所定の方式で存在する場合に解釈される、第１の変調された信号を含む前記権利表現情報の前記変調された信号ベースの表示を生成することをさらに含む、請求項１に記載の方法。
【請求項１６】
前記権利表現情報の前記変調された信号ベースの表示が、前記変調された信号ベースの表示の解釈の条件として、変更されていないことを判断することをさらに含む、請求項１に記載の方法。
【請求項１７】
前記権利表現情報に関連付けられた他の変調された信号ベースの表示及び前記権利表現情報に関連付けられた情報の１つに対するポインタとして、前記変調された信号ベースの表示を構成することをさらに含む、請求項１に記載の方法。
【請求項１８】
権利表現に従って、アイテムの使用のコントロールを促進するアイテムに関連付ける該権利表現を生成するシステムであって、
アイテムの使用の態様を示す権利表現情報を特定する手段と、
前記権利表現情報の変調された信号ベースの表示を生成する手段と、
を備え、
前記変調された信号ベースの表示が、前記権利表現情報に基づいて、前記権利表現の行使を許可するために、前記アイテムの使用をコントロールするシステムのインタプリタによって解釈されるように構成されている、
システム。
【請求項１９】
前記変調された信号ベースの表示が、変調された光信号を含む、請求項１８に記載のシステム。
【請求項２０】
前記変調された信号ベースの表示が、変調された音信号を含む、請求項１８に記載のシステム。
【請求項２１】
前記変調された信号ベースの表示が、変調された紫外線波信号を含む、請求項１８に記載のシステム。
【請求項２２】
前記変調された信号ベースの表示が、変調されたＸ線信号を含む、請求項１８に記載のシステム。
【請求項２３】
前記変調された信号ベースの表示が、変調されたマイクロ波信号を含む、請求項１８に記載のシステム。
【請求項２４】
前記変調された信号ベースの表示が、変調された電磁波信号を含む、請求項１８に記載のシステム。
【請求項２５】
デバイスに前記権利表現情報を行使させるために、前記変調された信号を送信する手段をさらに備える、請求項１８に記載のシステム。
【請求項２６】
前記変調された信号ベースの表示が、変調されたパルスを含む、請求項１８に記載のシステム。
【請求項２７】
前記権利表現情報の複数の解釈に対応するために、前記変調されたパルスの特性を変化する手段をさらに備える、請求項２６に記載のシステム。
【請求項２８】
前記変調された信号ベースの表示が、変調された音のトーンを含む、請求項２０に記載のシステム。
【請求項２９】
前記権利表現情報の複数の解釈に対応するために、前記変調された音のトーンの特性を変化する手段をさらに備える、請求項２８に記載のシステム。
【請求項３０】
コンピューティング・デバイスに前記権利表現情報を行使させるために、電話装置を介して、前記変調された音信号を該コンピューティング・デバイスへ送信する手段をさらに備える、請求項２９に記載のシステム。
【請求項３１】
前記権利表現情報が、デジタル・コンテンツ、サービス、抽象物、リソース、及び物品の少なくとも１つの使用の態様を行使するために満足させなければならない条件を含む、請求項１８に記載のシステム。
【請求項３２】
第２の変調された信号が所定の方式で存在する場合に解釈される、第１の変調された信号を含む前記権利表現情報の前記変調された信号ベースの表示を生成する手段をさらに備える、請求項１８に記載のシステム。
【請求項３３】
前記変調された信号ベースの表示の解釈の条件として、前記権利表現情報の前記変調された信号ベースの表示が変更されていないことを判断する手段をさらに備える、請求項１８に記載のシステム。
【請求項３４】
前記権利表現情報に関連付けられた他の変調された信号ベースの表示、及び、前記権利表現情報に関連付けられた情報の１つに対するポインタとして、前記変調された信号ベースの表示を構成する手段をさらに備える、請求項１８に記載のシステム。
【請求項３５】
前記特定する手段及び前記生成する手段が、コンピュータ・システムのデバイスを含む、請求項１８に記載のシステム。
【請求項３６】
前記特定する手段及び前記生成する手段が、メディアに記録されたコンピュータ可読命令を含む、請求項１８に記載のシステム。
【国際調査報告】
2005532610.tif 000029